(57)【要約】【課題】遊技台、メダル払出機、または他の遊技台へメダルストック数の不足を適宜補充できるようにすることを目的とする。【解決手段】  メダル振分案内装置４０１は、メダル受入部４０６の受入メダルを整列させ、遊技機隣接設置のメダル払出機１の前面１３４側配置される整列機構４２７と、整列機構４２７によって整列されたメダルをメダル払出機１の奥行き方向へ移動させるメダル通路４０５と、整列機構４２７によって整列されたメダルを、複数の届け先（メダル払出機１、遊技機２）に振り分けて案内する振分案内手段と、を備える。【選択図】図４３
2010227317.tif 000002
【特許請求の範囲】
【請求項１】
投入されたメダルを受け入れるメダル受入部と、
前記メダル受入部により受け入れたメダルを整列させ、遊技機に隣接して設置されたメダル払出機のメダルを払い出す側である前面側配置される整列機構と、
前記整列機構によって整列されたメダルを前記メダル払出機の奥行き方向へ移動させるメダル通路と、
前記メダル通路を通過したメダルを、複数の届け先に振り分けて案内する振分案内手段と、
を備えることを特徴とするメダル振分案内装置。
【請求項２】
前記複数の届け先とは、遊技機内、メダル払出機内、及び島内に複数設置された遊技機それぞれにメダルを搬送するメダル搬送装置の内複数であることを特徴とする請求項１記載のメダル振分案内装置。
【請求項３】
前記複数の届け先に、遊技機内、及びメダル払出機内を少なくとも含み、前記遊技機及び前記メダル払出機の少なくとも一方のメダルの収容数に応じて前記振分案内手段によって振り分けて案内する届け先を決定することを特徴とする請求項１記載のメダル振分案内装置。
【請求項４】
請求項１乃至請求項２いずれか記載のメダル振分案内装置に在る、前記整列機構によって整列されたメダルを計数するメダル計数部を備えることを特徴とするメダル計数機。
【請求項５】
請求項１乃至請求項２いずれか記載のメダル振分案内装置を隣接して配置可能であり、指示に基づき前記筺体内部に収容されたメダルを前記筺体前面の遊技客側に排出可能なことを特徴とするメダル払出機。
【請求項６】
請求項１乃至請求項２いずれか記載のメダル振分案内装置を、遊技台の側面側、メダル払出機、の内部、側面側、または下方側に設置することを特徴とするメダル通路の設置方法。
【発明の詳細な説明】
【技術分野】
【０００１】
本発明は、整列させた獲得メダルを島内部に移動させる技術に関する。
【背景技術】
【０００２】
従来、特許文献１のような回胴式遊技機用メダル装置においては、筺体裏面側より供給管Ｂを介して外部供給口２１より補充用メダルを落下させて受入タンク３１に受け入れて貯蔵後、貸出指示操作に基づいて、受入タンク３１に貯蔵されたメダルを搬送ベルト３２によってメダルホッパー４４に導くと共に、切換手段４８を作動させてカウント部４６から貸出部側排出口４７ｂへ連通させ、メダルホッパー４４に内在するメダルをカウント部４６、貸出部側排出口４７ｂを介して貸出口５２へ払い出す。
【０００３】
一方、メダル投入口４１から投入した計数用メダルは、メダル投入口４１の開状態の検知に基づいてメダルホッパー４４に導くと共に、切換手段４８を作動させてカウント部４６から樋側排出口４７ａを介してベルトコンベア８１上に導き、ベルトコンベア８１を駆動させて回収樋Ｃへ導く。
【特許文献１】特開平１１−２２６２３４
【発明の開示】
【発明が解決しようとする課題】
【０００４】
しかしながら、各遊技台の賞として払い出すためにストックするメダルが不足した場合に補給する回収樋４７ａを有しない多くのホールが、このように遊技台のストックメダル数が不足した場合ただちに補充できないという課題がある。また、遊技機に隣接して設置されるメダル払出機のストックメダル数が不足した場合にもメダル払出機への自動補給装置（回収樋４７ａ）がない場合ただちに補充できないという課題がある。また自動補給装置があって他の遊技台で遊技していた客が多量の獲得メダルを他の遊技台に持ち込んで計数する場合には、持ち込んだ遊技台から持ち出した遊技台へのメダル搬送ができないと、持ち出した遊技台のメダル量が不足するという課題があり、この場合においても持ち込んだ遊技台またはメダル払出機にストックメダル数が不足する場合に直に補充できないという課題がある。
【０００５】
本発明は、このような事情に鑑みてなされたもので、遊技客が獲得メダルを計数する等のために獲得メダルを返却する際に生じる、遊技台、メダル払出機、または他の遊技台へメダルストック数の不足を適宜補充できるようにすることを目的とする。
【課題を解決するための手段】
【０００６】
上記課題を解決するため本発明のメダル振分案内装置は、投入されたメダルを受け入れるメダル受入部と、前記メダル受入部により受け入れたメダルを整列させ、遊技機に隣接して設置されたメダル払出機のメダルを払い出す側である前面側配置される整列機構と、前記整列機構によって整列されたメダルを前記メダル払出機の奥行き方向へ移動させるメダル通路と、前記整列機構によって整列されたメダルを、複数の届け先に振り分けて案内する振分案内手段と、を備えることを特徴とする。
【０００７】
この発明によれば、整列機構によって整列されたメダルをメダル払出機の奥行き方向へ移動させるメダル通路と、メダル通路を通過したメダルを、複数の届け先に振り分けて案内する振分案内手段と、を備えるので、複数の届け先（例えば遊技機、メダル払出機、他の遊技台等）に適宜補充できる。
【０００８】
なお、整列機構が配置されるメダル払出機のメダルを払い出す側である前面側とは、例えば、該前面パネル表面に取り付けられたメダル受入部から受け入れたメダルを搬送可能または流下可能にメダル払出機内部側に埋没させて取り付ける例（メダル払出機の中心からみれば前面側である）、該前面パネル表面に取り付けられ、整列機構の１部が前面パネル表面より外部に突出し、整列機構の残る部分が前面パネル表面より内側に埋没して取り付けられる例、整列機構の全てが該前面パネル表面から外側へ突出させて（メダル払出機の中心からみれば前記同様前面側である）取り付けられる例、などを例示できる。
【０００９】
またなお、例えば、メダル通路は、整列機構によって整列されたメダルをメダル払出機の奥行き方向に移動させて振分案内手段に達するものと、整列機構によって整列されたメダルを振分案内手段によって振り分け案内した後、分岐した複数の通路の内１乃至全部がメダルをメダル払出機の奥行き方向に移動させるようにしたもの等を例示できる。
【００１０】
またなお、例えば、整列機構としては、底部が幅狭に形成されV字溝を備え、前記V字溝の底部は受け入れたメダルの外周端が１枚厚分配置可能な幅であり、前記V字溝の底部に外周端を位置したメダルが、前記V字溝の底部に沿って傾斜した下流側へ起立転動するものを例示できる。また整列機構としては、例えば、特公昭６３−３６０４０公報記載の円筒径内を回転するディスクにメダルを受け入れるメダル受入孔を設け、ホッパー底部に設けられた固定されたガイドピンであって、ディスクが回転するとディスク下面側であってディスク回転軌道上に設けられた切欠部をガイドピンが通過するよう構成され、メダル受入孔に受け入れたメダルがガイドピンに導かれ、円筒径内外延に設けられた排出口から１枚毎に排出するよう構成した、所謂「目玉式ホッパー」などが例示できる。整列手段によって整列させたメダルを近接センサによって１枚毎に検知して計数するようにしてもよい。また研磨機構として、上記ディスクを挟持し、ディスクの上面側の一部、下面側の全部を覆うよう研磨部材（金属ブラシ等）を配設して、メダルと研磨部材のディスク回転に伴う接触によってメダルの汚れが除去されるようにしてもよい。
【００１１】
またこの発明のメダル振分案内装置は、上記構成における複数の届け先とは、遊技機内、メダル払出機内、及び島内に複数設置された遊技機それぞれにメダルを搬送するメダル搬送装置の内複数であることを特徴とする。
【００１２】
この発明によれば、上記作用効果に加え、遊技機内、メダル払出機内、及びメダル搬送装置、の内複数にメダルを適宜供給できる。
【００１３】
なお、複数とは、例えば、遊技機内またはメダル払出機の２托、メダル払出機またはメダル搬送装置の２托、遊技機内またはメダル搬送装置の２托、遊技機内とメダル払出機とメダル搬送装置の３托、遊技機内、メダル払出機またはその他への３托、メダル払出機、メダル搬送装置またはその他への３托、遊技機内、メダル搬送装置またはその他への３托、遊技機内とメダル払出機とメダル搬送装置とその他への４托以上、などが例示できる。
【００１４】
また本発明のメダル振分案内装置は、前記複数の届け先に、遊技機内、及びメダル払出機内を少なくとも含み、前記遊技機及び前記メダル払出機の少なくとも一方のメダルの収容数に応じて前記振分案内手段によって振り分けて案内する届け先を決定することを特徴とする。
【００１５】
この発明によれば、上記作用効果に加え、遊技機及び前記メダル払出機の少なくとも一方のメダルの収容数に応じて前記振分案内手段によって振り分けて案内する届け先を決定するので、遊技台及びメダル払出機の少なくとも一方のメダルの収納数が少ない場合に、補充することができる。
【００１６】
なお、遊技機及びメダル払出機の少なくとも一方のメダルの収容数とは、例えば、通常は内に複数設置された遊技機それぞれにメダルを搬送するメダル搬送装置を届け先とし、遊技機のメダルの収容数が少ない（所定数以下または未満、重量所定値以下または未満、収容庫の所定位置に設けられた光センサがＯＦＦから透過状態（メダルを検知しない状態）となった等）場合には、遊技機内に補充させる場合、通常は内に複数設置された遊技機それぞれにメダルを搬送するメダル搬送装置を届け先とし、メダル払出機のメダルの収容数が少ない場合には、メダル払出機内に補充させる場合、通常は内に複数設置された遊技機それぞれにメダルを搬送するメダル搬送装置を届け先とし、遊技機のメダルの収容数が少ない場合には、遊技機内に補充させ、メダル払出機のメダルの収容数が少ない場合には、メダル払出機内に補充させる場合、遊技機及びメダル払出機のメダルの収容数の少ない方にメダルを補充させる場合、遊技機、メダル払出機、及びメダル搬送装置のうち最もメダルを補充する必要のある装置を、通常は遊技機とメダル払出装置のメダル収容数の少ない方の補充し、遊技機とメダル払出装置のメダル収容数の加算値と、他の遊技機やメダル払出装置の補充する必要のあるメダル収容数を比較し少ない方に補充する場合、等種々の例を例示できる。
【００１７】
また本発明は、上記本発明のメダル通路に在る、前記整列機構によって整列されたメダルを計数するメダル計数部を備えるようにしてメダル計数機としてもよい。
【００１８】
また本発明は、上記本発明のメダル通路を隣接して配置可能であり、指示に基づき前記筺体内部に収容されたメダルを前記筺体前面の遊技客側に排出可能なメダル払出機としてもよい。
【００１９】
また本発明は、上記本発明のメダル通路を、遊技台の側面側、メダル払出機、の内部、側面側、または下方側に設置するメダル通路の設置方法を例示できる。
【発明の効果】
【００２０】
本発明のメダル振分案内装置によれば、整列機構によって整列されたメダルをメダル払出機の奥行き方向へ移動させるメダル通路と、メダル通路を通過したメダルを、複数の届け先に振り分けて案内する振分案内手段と、を備えるので、複数の届け先（例えば遊技機、メダル払出機、他の遊技台等）に適宜補充できる、という効果を奏する。
【発明を実施するための最良の形態】
【００２１】
以下、本発明の最良の実施形態によるメダル払出機、及びメダル払出機のメダル払出方法を、図面を参照して説明する。なお以下例示する実施の形態においては、本発明を実現可能な１の例を例示したに過ぎず、本発明は以下実施の形態に限定されない。
【００２２】
図１は本発明第１実施例におけるメダル払出機を遊技機に隣接させて配置した斜視図である。符号１は本実施例のメダル払出機である。符号２はスロットマシンである。本実施例のメダル払出機１は、紙幣投入口４、投入現金に対応した度数（有価価値）、貯メダルしたメダルを再び遊技に用いるための再プレー用度数（有価価値）、計数したメダル数、補充したメダル数、排出メダル数等を表示するための液晶表示部５、会員カードまたは非会員カードのカード受入発行口６、再プレー用度数を消費して再プレー用メダルを払い出す指示をする再プレーボタン７、受け入れたメダルを計数する計数ボタン８、投入現金に対応した度数を消費してメダルを貸し出す貸出ボタン９、カード返却ボタン９９、を筺体３の前面１３４側上部に備え、店員の所持するカギによって施解錠可能であり筺体３内部にメダルを補充するため補充扉１０、再プレーボタン７または貸出ボタン９の押圧によりメダルを払い出すノズル１３、ノズル１３を鉛直方向にスライド移動可能に支持する鉛直スライド支持体１１、ノズル１３を水平回動可能に支持する水平回動支持体１２を、筺体３の前面中央部に備え、受入口１７から転動するメダルを湾曲路１５、長さ調整通路１４を介して受け入れるための機構を筺体３の前面下部に備える。
【００２３】
また、湾曲路１５には灰皿４５を取り付け可能であり、灰皿４５には煙草の火を消すための格子部４７、蓋４６を備える。後程詳述の如く、灰皿４５の下部は煙草搬送路へ煙草の吸殻を導くことが可能に構成されている。スロットマシン２は、メダル投入口２４、遊技の結果獲得したメダルを払い出すための払出口１８、スロットマシンの回動式リールを回動させるスタートレバー１９、メダル投入口２４から投入された保留メダル数（最大５０枚迄保留するため投入可能）のうち賭けることが可能な１枚から最大３枚のうち最大３枚のメダルをかけるためのＭＡＸＢＥＴボタン２０、左リール停止ボタン２１、中央リール停止ボタン２２、右リール停止ボタン２２、大当り絵柄を含む種々の絵柄をペイントした回動式リールを収納した回動式リール部２５、下皿４３を備える。
【００２４】
次に図２に基づいて説明する。図２は、スロットマシン２及びメダル払出機１の背面側からみた斜視図である。スロットマシン２の内部には、ホッパー３１と、ホッパー３１に蓄えたメダルを賞として払い出すためのモータ機構３２を備え、ホッパー３１にメダルがいっぱいになるとその上部側のメダルは、満杯メダル排出口２９、満杯メダル通路３０、回収ボックス３３、スロットマシン底部開口部４２、搬送駆動ローラ３５で駆動される無端ベルトで構成された満杯搬送路３４、揚送機４０へ搬送される。
【００２５】
図３は、スロットマシン２及びメダル払出機１を底面側から見た図である。図３に示す如くスロットマシン２の底部開口部４２から落下した満杯メダルは満杯搬送路３４の無端ベルト上面に至り、搬送下流の端部において底部滑り台４１を介して揚送機４０に導かれる。底部滑り台４１の下流下端部には、シャッタ（図示しない）を備え、シャッタは、揚送ベルト３８と揚送機カバー３９の間の隙間が生じる時には閉鎖されてメダルは滑り台４１上に滑落しないで留まり、揚送ベルト３８と揚送機カバー３９の間の隙間が生じないように揚送ベルト３８に取り付けられた籠が存在する場合には、シャッタが開となりメダルは底部滑り台４１上を滑落して籠に導かれる。なお、満杯搬送路３４、揚送機４０は定期的に駆動されるか、またはメダルの侵入を光透過センサにて検知した際に駆動される。
【００２６】
揚送機４０は、揚送駆動ローラ３７のいずれか一方で駆動され、外面にメダルを持ち上げるための籠（図示しない）を備えた無端ベルト３８を揚送するもので、無端ベルト３８の周囲を揚送機カバー３９で覆うように形成され、揚送上部に揚送したメダルを排出するための排出口３６を備える。籠（図示しない）の底はメダル重量に抗して開口しないようばねにより閉塞されているが、揚送上部において無端ベルト３８が揚送ローラ３７に導かれてカーブすると籠（図示しない）の底に設けられた突起と、揚送機カバー３９に設けられた突起と、が当たると揚送メダルが入った籠の底面が開口し、籠の側面の排出口３５に向かっての下方傾斜に導かれて揚送したメダルが排出口３６に導かれる。なお揚送上部において無端ベルト３８が揚送ローラ３７に導かれてカーブすると、籠の底面の開口に向かっての下方傾斜側面の下端部は、揚送機カバー３９より外部側に突出するよう、籠の揚送方向と垂直な方向の上端水平側面の両側に籠上方に突出したアームが無端ベルト３８と回動自在の軸支されている。
【００２７】
またメダル払出機１の背面側において、外部にメダルタンク６２が満杯となった際の上部付近メダルを排出するための滑り台２６を備え、その滑り台２６に導かれた余剰メダルは、さらにメダル払出機の背面口より外部に滑落して外部滑り台２７を介してスロットマシン２の背面側よりホッパー３１に導かれる。
【００２８】
次にスロットマシン２の前面下部側を拡大した斜視図である図４に基づいて説明する。また図４における、断面Ｑ、断面ＳにおけるＡＡ’方向から見た図をそれぞれ図６に示す。図４に示す如く、スロットマシン２の下部側に設けられた下皿４３に隣接して受入口１７を配置する。カウンタ４４の遊技者側への突出がほとんどない場合でも、スロットマシン２の下皿４３の遊技者側側面に、受入口１７に嵌め込まれたフック５３を掛けて、受入口１７を下皿４３に隣接して固定することができる。フック５３は、溝５４に沿って水平スライド可能に溝５４に嵌め込むことができる。溝５４は受入口１７の水平長手方向に沿って上下に２段（場合によっては上下方向に溝５４をさらに増設してもよい）設けられており、スロットマシン２の下皿４３の上端部の高さによらず、受け入れたメダルをメダル払出機１の下方側に設けられた受入口へ、転動滑落可能な傾斜角度となるよう、フック５３の位置を調整できる。
【００２９】
受入口１７は、上に凸にＲをなした曲面５６を有して断面Ｖ字の谷を形成する。下皿４３からメダルをＶ字谷に投入すると、メダルＭは曲面５６に沿って滑落し、谷底５５に下端部が接すると起立する。メダルＭは、図６における断面Ｑの上流側から断面Ｓの下流側へ下方傾斜した谷底５５に沿って転動流下する際、メダルＭの上端部が取り出し可能に露出した状態となる。このようにメダルＭの上端部を取り出し可能に露出させることは、メダル払出機１に至るまでメダル転動通路の上部を開口させると、詰まりが発生したときに取り出し易くて好ましい。なお、受入口１７の遊技者側の壁面は１７１の如く遊技者側へ上端部が突出する形態をとるとメダルＭを１７１側面に沿ってならべられるので見栄えが良いので好ましい。また点線部５７の空間によって、カウンタ４４の遊技者側端部の遊技者側方向や上方向への突出寸法が多少あっても、受入口１７とカウンタ４４が当たらないようにできる。
【００３０】
受入口１７と湾曲部１５の間は転動メダルＭが転動流下可能に若干の段差を有し、受入部１７と湾曲部１５とは上下方向における取り付け位置自在に、湾曲部１５に設けられた上下方向の溝（図示しない）に受入部１７の下流端部に設けられた突起（図示しない）を、上方から受入部１７を嵌入させて接続する。また湾曲部１５の最上流側には、メダル払出機１の収容メダルが満杯になった際にこれ以上の受け入れを禁止するためのソレノイドバルブからなるシャッタ５２が設けられている。
【００３１】
湾曲部１５からメダル払出機１に至る間は、上方が開口した長さ調整通路１４を接続する。長さ調整通路１４は、適宜に現場の寸法に合わせてカットし、適当な寸法とする。長さ調整通路１４は、湾曲部１５側の端部に設けられた上下方向の溝（図示しない）に上方からメダルが転動流下可能に嵌入させ、メダル払出機１側の端部は、水平方向から嵌入して接続する。このように現場の寸法に合わせて長さ調整通路１４の長さを適宜に設定することで、受入口１７は、スロットマシン２の下皿４３の突出寸法に合わせて水平方向に隣接して配置することができる。
【００３２】
図５に示す如く、灰皿４５は、嵌合突起４９を介して湾曲部１５の湾曲内側側面に設けれた穴（図示しない）に嵌合して設置される。灰皿４５は上面の格子部４７、蓋４６、及び上部筺体５１が金属で形成され、下部には厚み内部に空洞のある可撓性耐熱部材４８（格子状のガラス繊維であるガラスクロスまたは不織布に可撓性かつ耐熱性のあるエポキシとかシリコン等の熱硬化性樹脂を含浸させたもの等が例示できる。熱硬化性樹脂には不燃性を高めるためのフィラーとしてカーボン等を混入させてもよい）の空洞部分に金属リング５０を挿入させたものである。金属リング５０のＲ部はオーバーラップしており、既設の吸殻搬送装置に設けられた灰皿の内径に合わせて金属リング５０を嵌めこむことで、可撓制耐熱部材４８のたわみによって、灰皿４５の取り付け位置と上記既設灰皿の取り付け位置のずれを吸収し、吸殻を上記既設灰皿へ落下可能に導く。なお可撓制耐熱部材４８に余剰部分がでる場合は、余剰部分が吸殻の落下を妨げるので、この金属リングの位置をやや上方とし、可撓制耐熱部材４８の下端部は、吸殻の落下を妨げないようカットしてもよいし、外部側に巻いておいてもよい。
【００３３】
なお、灰皿４５の周囲の空間は、掃除のし難い、手が入り難いデッドスペースになるので、煙草の灰で汚れてしまったり、ジュースでベトつくことも考えられるので不衛生である。そこで、灰皿４５の周りの空間である湾曲部１５、長さ調整通路１４、メダル払出機１の前面、スロットマシン２の下皿４３のメダル払出機１側側面で囲まれた空間部を上方から覆う蓋を設けることが好ましい。
【００３４】
次いで図７について説明する。図７は本実施例のメダル払出機１を側面方向から見た内部断面説明図である。受入口１７から湾曲部１５、長さ調整通路１４を介して受け入れたメダルを揚送機構６０によって揚送する。揚送機構６０は、リフト機構駆動モータ６４によって駆動するローラによって無端ベルトを回転させて駆動する。無端ベルトにはメダルＭの受け入れ方向から内部方向（図７の中央側）に向かって下方傾斜した搬送突起８３を備え、揚送機構カバー６１で無端ベルトの周囲を覆うように形成される。揚送機構６０の揚送上端部には近接センサＳが設けられ、金属の近接を検知すると透磁率が上昇することを利用して金属の近接を検知する。近接センサＳによって検知されたメダルは、メダル払出機１の制御部によって計数され、制御部は、その計数結果を管理装置１００に通信インターフェース回路を介して送信する。
【００３５】
また揚送機構６０によって揚送されたメダルＭは、矢印Ｕの方向に開口された開口部を介して、搬送突起８３の下方傾斜面と、揚送機構カバー６１の側面と、及び無端ベルト側面に沿って、矢印Ｕの方向に転動流下してメダルタンク６２内に収容される。
【００３６】
メダルタンク６２内に収容されたメダルＭは、後程詳述する貸出ボタン９押圧等の指示に従って払出用モータ６５を駆動して払出用ノーズ６３を介して、ノズル１３から機外に放出される。また補充用メダルは、補充扉１０を開いて投げ入れて補充され、補充樋５８を滑落してメダルタンク６２の中央部に導かれるが、補充メダル数を特定するために、補充用メダルは受入部１７、６７、６８を介して計数機構Ｓ、７０によって計数された後メダルタンク６２に収容されるようにしてもよい。補充扉１０からメダルを補充する際には、メダルタンク６２の底部に重量センサを設けて補充数、内蔵メダル総量を把握してもよい。把握した補充数、内蔵メダル総量は液晶表示部５に指示に従って表示する。
【００３７】
また補充用メダルは、島内メダル供給搬送路６６、揚送機４０を介してメダル払出機１の背面側より補充してもよい。なお島内メダル供給搬送路６６を用いる場合には、背面導入樋７３を介してメダルタンク６２に収容するが、メダルタンク６２が満杯の場合にはシャッタ８８によってメダルタンク６２への流下を阻止することができる。また島内メダル供給搬送路６６、揚送機４０は併用しても、別個に用いてもよいが、併用する場合排出口３６は図２よりさらにメダル払出機１の背面側において上方に大きく開口し、その上方の大きく開口した部分からメダル供給搬送路６６から補充用メダルを受け入れる。
【００３８】
次にメダルタンク６２が満杯になった場合について説明する。島内メダル供給搬送路６６を備える場合には、排出樋５９から島内メダル供給搬送路６６へ余剰メダルを排出する。島内メダル供給搬送路６６を備えず、メダル払出機１及びスロットマシン２の底面側に満杯搬送路３４、及びメダル払出機１の背面側に揚送機４０を備える場合には、排出樋５９と同様の滑り台２６から外部滑り台２７を経由してスロットマシン２に内蔵されるホッパー３１にメダルを提供するようにしてもよい。またシャッタ８９を開口し、メダルタンク６２における底部排出樋９０上を、メダルを滑落させて外部の下部排出口９１から外部へ排出するようにしてもよい。なおメダルタンク６２が満杯になったことの検出は、メダルホッパーの排出樋５９の上端付近に設けられた近接センサによりなされる。
【００３９】
次に第２、第３の実施の形態として、遊技者がスロットマシン２の下皿４３に貯えた賞メダルを手で受入口６７、６８に運んで入れるタイプのメダル払出機１を説明する。図８及び図９は、それぞれ、第２の実施の形態、第３の実施の形態としての、メダル払出機１の斜視図である。図８における筺体３前面１３４側に設けられた受入口６７においては、遊技客がスロットマシン２の下皿４３に貯えた賞メダルを手で受入口６７に運んで入れる。
【００４０】
図９においては遊技客がスロットマシン２の下皿４３に貯えた賞メダルを手でメダル箱６９に入れて、メダル箱６９（メダル収容器の1種である）をメダル箱嵌合構造を備えた受入口６８（筺体３前面１３４側に設けられ、筺体３前面１３４に対し垂直な方向に進退するメダル留め部である）に設けられたにメダル箱嵌合部１２０、１２１に、メダル払出し機１前面方向に向かってスライドさせて挿入嵌合させ、次いで受入口６８とメダル箱６９をメダル払出機１の前面に対し垂直な方向を回転軸として回転させて（動作機構であり回転手段である）、メダル箱６９が逆さになると、メダル箱６９内のメダルが受入口６８の底面に沿って滑落し、図１０（図１０は本実施例のメダル払出機１を側面方向から見た内部断面説明図である。）における計数機構７０に導かれ、計数機構７０で計数されたメダルはメダルタンク６２へ図示された矢印の方向へ落下して収容される。なお受入口６８は、筺体３前面１３４に対し垂直な方向に進退自在であり、退くことで人間の体などに接触して邪魔になることを防止し、進出することで大きなメダル箱６９の上面開口部を覆い、上記の如く回転させても収容したメダルがこぼれてしまわないようにメダル箱６９を留めることができる。
【００４１】
計数機構７０は、特公昭６３−３６０４０公報記載の円筒径内を回転するディスクにメダルを受け入れるメダル受入孔を設け、ホッパー底部に設けられた固定されたガイドピンであって、ディスクが回転するとディスク下面側であってディスク回転軌道上に設けられた切欠部をガイドピンが通過するよう構成され、メダル受入孔に受け入れたメダルがガイドピンに導かれ、円筒径内外延に設けられた排出口から１枚毎に排出するよう構成された整列手段を備える。整列手段によって整列させたメダルを近接センサによって１枚毎に検知して計数する。また上記ディスクを挟持し、ディスクの上面側の一部、下面側の全部を覆うよう研磨部材（金属ブラシ等）を配設して、メダルと研磨部材のディスク回転に伴う接触によってメダルの汚れが除去される。
【００４２】
なお図１０における１３、５９、６２、６３、６５、６６、７３、８８、８９、９０、９１は図７と同様である。
【００４３】
次いで本実施例を応用した実施の形態を図１１から図１３に基づいて説明する。図１１は第４の実施の形態であり、本実施例第１実施例を応用したメダル払出機１を遊技機に隣接させて配置した斜視図である。図１２は揚送機構７４の拡大した斜視図である。図１３は、図１２における断面ＴのＷＷ’視である。図１１における揚送機構７４はメダル払出機１の前面側外面に着脱自在に取り付けられ、無端ベルト７５をモータ８７で駆動される駆動ローラ８６で回動駆動される。また無端ベルト７５は図示しないフリーローラで下方端が回動自在に軸支される。また図１１における筺体３前面１３４に、ボタン類を配置した上部が開口可能に引き出し可能な開口パネル１６５を備え、メダル払出機１のメダル貯蔵部６２内にメダルが不足したことをメダル量センサにより通知された場合、店員が開口パネル１６５を開いてメダルをメダル貯蔵部６２に補充できる。開口パネル１６５の裏面にはボタン入力ＩＦ回路の基板が搭載され、当該基盤の裏面は被覆されメダルの補充時にメダルがＩＤ回路に直接触れることもない。
【００４４】
揚送機構７４は、透明な樹脂で形成された断面長方形の直方体形状のスペース７４２、７４３を含んだカバー体７４１に、無端ベルト７５が覆われ、無端ベルト７５がカバー体７４１内の前記スペース７４２、７４３内を上下方向に回動可能に構成される。また無端ベルト７５には図７における揚送機構６０における搬送突起８３と同様のものが設けられ、搬送突起８３とカバー体７４１内のスペース７４２側壁の間の隙間をメダル１枚の厚みより小さく、無端ベルト７５のベルト側面と前記スペース７４２側壁の間の隙間をメダル１枚の厚みよりやや大きく構成することで、メダルがその隙間から落ちてしまわないようにすることができる。そしてカバー体７４１が透明な樹脂で形成されるので、遊技客が獲得したメダルについての揚送機構７４による揚送過程及びその後の経路が視認でき、遊技客がホールに搬送中のメダルを取られてしまう懸念を持たれることもない。
【００４５】
無端ベルト７５の下端部における長さ調整通路１４から転動流下したメダルは、無端ベルト７５表面に設けられた搬送突起８３の上に位置して、無端ベルト７５の揚送に伴って揚送される。計数ボタンが１回押されると計数モードに移行する。計数モードに設定される場合、ソレノイド８５から突出部８４が、搬送突起８３とカバー体７４１内のスペース７４２側壁の間の隙間に揚送されたメダルを、メダル払出機１の筺体３前面に穿設された穿設口７７に導くよう斜めに７６の状態で突出するとともに穿設口７７のシャッタが開口し、揚送されたメダルは突出部７６に導かれて穿設口７７を経由してメダルタンク６２内に収容される。なお計数モードに設定される場合、計数機構は突出部７６の下方側のカバー体７４１の側面に近接センサＳが取り付けられており、１枚毎に計数可能である。計数モードは、計数したメダルが所定時間（例えば１５秒）計数が中断すると計数モードを脱し、通常の払出モードに移行する。またなお計数モード以外のモードにおいてはソレノイド８５が作動して突出部が８５の状態となり、穿設口７７に設けられたシャッタは閉塞状態をとる。なお、メダル導き選択手段として、筺体側へ１枚毎に転動流下するメダルを筺体３前面１３４下側に導く。また、無端ベルト７５で構成されるコンベアリフト上には、転動メダルをその姿勢のままメダル外縁部を乗せるための搬送突起８３を有し、その突起８３は筺体前面側が下側に、筺体前面側と反対側の転動メダル上流側が上側になるよう斜めに傾斜させて構成させている（このように傾斜させればソレノイド８５が必要ない）。
【００４６】
そして無端ベルト７５を、リフト方向に垂直な四方を覆う通路７４１内に配置する。計数モードにおいては、無端ベルトによってメダルをリフト中に、メダル外縁部と接する筺体前面１３４に開口された穿設口７７を開閉するシャッタ７７ａを制御部１０３Ｐに制御されて開口すると、穿設口７７から落下したメダルが内部のメダル貯蔵部６２（メダルタンク）へ落下して至ることができる。またスロットマシンへのメダル投入モードである旨のボタン（図示せず）が押された場合、制御部１０３Ｐに制御されて当該シャッタ７７ａを閉じると、メダルを無端ベルト７５によってリフト後傾斜面８０に至れり、傾斜面８０を介して開口７９に導いた後、開口７９から落下したメダルをスロットマシン側であるネット８１ｂに導くことができる。（Ｄ案）
【００４７】
通常の払出モードの状態で、即投入ボタン９９９が１回押されると即投入モードに移行する。即投入モードの場合、ソレノイド８５の突出部が８４の状態となり筺体３に引っ込み、無端ベルト７５がスペース７４２から上方の広い空間部に抜けるとメダル載置面が下向きとなるよう駆動ローラ８６を配置されているので、無端ベルト７５によって揚送されたメダルは、傾斜面８０に落下し、開口７９からネット８１ｂに滑落して蓄積される。なお即投入モードは所定時間（例えば１５秒）近接Ｓがメダルを検知しない場合に即投入モードを脱し、通常の払出モードに移行する。
【００４８】
通常の払出モードは、紙幣投入口４に紙幣が投入されるか、またはカード受入発行口６に会員カードまたは非会員カードを受け入れると設定される。そしてカード返却ボタン９９が押されて、投入紙幣分の有価価値（度数）または計数した獲得メダル数、が付与された会員カードまたは非会員カードが排出されると通常の払出モードを脱し、待機状態となる。
【００４９】
通常の払出モードにおいては、貸出ボタン９が押されれば、所定数の度数が消費されて消費された度数分のメダルがメダルタンク６２から払出用モータ６５を駆動して払出用ノーズ６３を介して、払出口７８から払い出される。また通常の払出モードにおいては、再プレーボタン７が押されれば、所定数の貯メダルまたは持ちメダルが消費されて消費されたメダルがメダルタンク６２から払出用モータ６５を駆動して払出用ノーズ６３を介して、払出口７８から払い出される。そして払い出されたメダルは、傾斜面８０に落下し、開口７９からネット８１ｂに滑落して蓄積される。なお持ちメダルとは、再プレー手数料がかからないことを前提とした当日分の計数メダル数であり、貯メダルとは再プレー手数料がかかることを前提とした前日以前の計数メダル数である。持ちメダル及び貯メダルは、夫々別個の再プレー手数料を設定できるが、おそらくホールは持ちメダルについて、運用上の選択事項として再プレー手数料をかけない。
【００５０】
なお、ネット８１ｂは針金状の滑落するメダルを下側を落ちないようにサポートする斜め下方に導くガイドであり、メダル投入口２４に隣接して配置され、メダル投入口２４の積層メダル載置面とネット８１ｂの傾斜角が略一致するよう設定される。このようにネット８１ｂを構成することで、遊技客がネット８１ｂに積層されて蓄積したメダル複数を任意に掴んでメダル投入口２４に入れやすくする。
【００５１】
なお、図７及び図１３に示す如く、近接センサＳの近傍には、揚送メダルの片面全体を回転させて研磨する回転研磨部７５１及び回転研磨部７５１を回転駆動するための回転研磨モータ７５２を揚送機構カバー６１やカバー体７４１に備え、近接センサＳが揚送メダルを検知すると回転研磨モータ７５２を駆動して回転研磨部７５１を回転させる。回転研磨部７５１は交換可能とするため、回転研磨モータ７５２に対して着脱可能である。回転研磨部７５１の回転方向は、揚送されるメダルを下方に押し付ける方向に回転させ、揚送されメダルは、搬送突起８３の下支えがあるので、回転研磨部７５１により下方に圧迫される力を受けてもメダル自体は変わらず揚送可能である。回転研磨部７５１は、金属ブラシ等が好ましく、金属ブラシ先端が揚送されるメダル表面に当接する位置に無端ベルト方向に揚送機構カバー６１やカバー体７４１から望む。また回転研磨によりメダルから落ちた汚れは、スペース７４２を落下して下方端に配置された皿に落ちる。皿は外部より取り出して汚れを皿から取り除くことができる。
【００５２】
次に図１４に基づき本実施例のメダル払出機１を採用した管理システムを説明する。当該管理システムは、接続機器間で相互に通信可能なネットワーク１０１に、管理装置１００、島コントローラ１０２が接続されている。また、メダル払出機１に隣接した複数の島内メダル供給搬送路６６にメダル搬送通路１０５を介してメダルを提供し、これらメダル供給のためのメダル供給装置１０４が必要に応じて接続される。なおメダル搬送通路１０５は島間に渡って設けることもできる。またメダル供給装置１０４にはメダルを洗浄する機能も有する。
【００５３】
管理システムにおいては、主に、各メダル払出機１に内蔵するメダル数量、メダル払出機１とスロットマシン２の各セットに内蔵するメダル合計数量を管理し、特定のメダル払出機１に内蔵するメダル数量、メダル払出機１とスロットマシン２の特定のセットに内蔵するメダル合計数量が少ない場合または多い場合、そのメダル払出機１、またはスロットマシン２へメダルを補充または取り去りすることを目的に、内蔵メダル数量の少ないまたは多いメダル払出機１、メダル払出機１とスロットマシン２の特定のセットのナンバー等の特定情報とともに報知する。またパチンコホールにとって人件費削減等の営業上の必要に応じて設けられる島内メダル供給搬送路６６、メダル搬送通路１０５、メダル供給装置１０４を備える場合には、内蔵メダル数量の少ないメダル払出機１、メダル払出機１とスロットマシン２の特定のセットに、メダル供給装置１０４からメダル搬送通路１０５と島内メダル供給搬送路６６を介して、メダル払出機１、またはスロットマシン２へメダルを補充し、内蔵メダル数量の多いメダル払出機１、メダル払出機１とスロットマシン２の特定のセットから、メダル供給装置１０４へ、メダル搬送通路１０５と島内メダル供給搬送路６６を介して、メダル払出機１、またはスロットマシン２からメダルを取り去る。
【００５４】
メダル供給装置１０４は、装置内にメダル搬送通路１０５からメダルを受け入れると、無端ベルトに籠を設けたリフトによって揚送し、揚送後に上下２段からなる略水平方向に搬送する下側無端ベルトにメダルを配置させ、その状態でメダルを下側無端ベルトの搬送方向に搬送させると、メダルは下側無端ベルトと異なる方向に回転駆動する上側無端ベルトに挟持される。上側無端ベルトと下側無端ベルトとに挟持されてメダルが下側無端ベルトの搬送に伴い下側無端ベルトから滑落すると、貯蔵タンクに一旦ストックする。貯蔵タンクに貯蔵されたメダルは、既述のディスク型整列機構により搬送通路１０５に排出される。
【００５５】
搬送通路１０５は、島内及び各島間に渡ってメダルを搬送する無端ベルトの組み合わせからなる通路であって、各スロットマシン２に隣接して設置されるメダル払出機１の背面側に設けられた各島内メダル供給搬送路６６（トンネル形状）にメダルを搬送する。
【００５６】
島内メダル供給搬送路６６は、搬送通路１０５を覆うトンネル形状であり、メダル払出機１やスロットマシン２にメダルを供給する場合には、シャッタ８８を開として、搬送通路１０５の無端ベルト上面において、背面導入樋７３へメダルを導くためのガイドを、ガイド先端側が搬送通路１０５上流側に臨むように突出させ、メダル払出機１またはスロットマシン２側のガイド後端側が搬送通路１０５の下流側に位置させる。またメダル払出機１またはスロットマシン２の余剰メダルは、搬送通路１０５へ、排出樋５９を介し滑落させる。
【００５７】
まず、島内メダル供給搬送路６６、メダル搬送通路１０５、メダル供給装置１０４、を備える場合について説明する。管理装置１００は、通信インターフェース回路（以後インターフェース回路をＩＦと呼ぶ）を介して島コントローラ１０２に中継されて受信した各メダル払出機１、またはメダル払出機１とスロットマシン２の各セットにおける内蔵メダル数量データを監視し、第４の所定量（重さや数や所定容器に彫像されるメダル量に対応した所定位置におけるメダル有無を示す情報等）を下回ったメダル払出機１、及びメダル払出機１とスロットマシン２の各セットをピックアップすると、そのメダル払出機１を特定する情報（台番号等）を、メダル供給装置１０４に送信する。するとメダル供給装置１０４は、メダルをメダル搬送通路１０５に排出するとともに、メダル払出機１を特定する情報に対応したメダル払出機１の背面に設けられた島内メダル供給搬送路６６に対し、シャッタ８８を開として、搬送通路１０５の無端ベルト上面に背面導入樋７３へメダルを導くためのガイドを、ガイド先端側が搬送通路１０５上流側に臨むように突出させ、メダル払出機１またはスロットマシン２側のガイド後端側が搬送通路１０５の下流側に位置させ、搬送通路１０５からメダルをメダル払出機１に取り込む。なおここで、各所定量としては、第３の所定量（メダル払出機１及びスロットマシン２に内蔵するメダル量の和が多すぎ払い出し不能の恐れある危険量）＞第２の所定量（メダル払出機１に内蔵するメダルが多すぎ払い出し不能の恐れある危険量）＞第１の所定量（メダル払出機１に内蔵するメダルが満杯に近い）＞第５の所定量（メダル払出機１に内蔵するメダルが満杯と空の中間量であり平均値よりやや多い方が補充頻度を少なくできて通常のメダル貸出を中断しないのでよい）＞第４の所定量（メダル払出機１に内蔵するメダルが空に近い）とするようにプログラム上、及び／または、機構上設定されるようにするとよい。
【００５８】
また、管理装置１００は、通信インターフェース回路（以後インターフェース回路をＩＦと呼ぶ）を介して島コントローラ１０２に中継されて受信した各メダル払出機１、またはメダル払出機１とスロットマシン２の各セットにおける内蔵メダル数量データを監視し、必要量のメダルに収容し終えたメダル払出機１、及びメダル払出機１とスロットマシン２の各セットをピックアップすると、島内メダル供給搬送路６６に対し、シャッタ８８を閉として、搬送通路１０５の無端ベルト上面に背面導入樋７３へメダルを導くためのガイドを、搬送通路１０５上から上方に移動させて、メダルとガイドが当接しないようにする。
【００５９】
なお、このように島内メダル供給搬送路６６、メダル搬送通路１０５、メダル供給装置１０４、を備える場合には、管理装置１００は電源ＯＮの際、島コントローラの中継で各メダル払出機１に通信ＩＦを介して「自動補充モード」である旨を通知する。するとメダル払出機１は、「自動補充モード」であれば、補充のために払出や計数を禁止する必要がないので、後程詳述する補充モードへの移行を行わない。この場合、常にメダル払出機１は既述の待機モード、払出モード、または計数モード、に移行する。なお島内メダル供給搬送路６６、メダル搬送通路１０５、メダル供給装置１０４、を備える場合、メダル払出機１、またはメダル払出機１とスロットマシン２の各セットにおける内蔵メダル数量が多すぎる場合には、排出樋５９から島内メダル供給搬送路６６へ余剰メダルが排出されるので、余剰メダルを排出する排出モードに移行する必要はない（ステップＳ１０６）。
【００６０】
島内メダル供給搬送路６６、メダル搬送通路１０５、メダル供給装置１０４、を備えない場合について説明する。管理装置１００は、通信ＩＦを介して島コントローラ１０２に中継されて受信した各メダル払出機１、またはメダル払出機１とスロットマシン２の各セットにおける内蔵メダル数量データを監視し、第４の所定量（重さや数や所定容器に彫像されるメダル量に対応した所定位置におけるメダル有無を示す情報等）を下回ったメダル払出機１、及びメダル払出機１とスロットマシン２の各セットをピックアップすると、店内インカムに音声で台番号とその台番号のメダル払出機１にメダルを補充するよう通知し、そのメダル払出機１を特定する情報（台番号等）に対応するメダル払出機１に島コントローラ１０２を中継して通信し、補充モードになる旨の情報を送信する。するとメダル払出機１は、上記「自動補充モード」でなければ、強制的の補充モードとなり、遊技者による計数モード、及び払出モードへの移行は禁止される（ステップＳ１０５）。
【００６１】
やがて店員によってそのメダル払出機１へのメダルの補充がなされ、メダル払出機１の制御部１０３Ｐが、センサＩＦを介して、メダル払出機１のメダルタンク６２のメダル重量や、補充に際して計数機構７０や近接センサＳを介して１枚毎に補充した場合にはその補充メダルの数量が充足にたる第４の所定量より大きい充分営業可能な状態である第５の所定量（重さや数や所定容器に貯蔵されるメダル量に対応した所定位置におけるメダル有無を示す情報等）となったことを検知すると、管理装置１００に島コントローラ１０２を介して通信ＩＦよりその旨を送信する。すると管理装置１００の制御部は補充が終了した旨の通知を、インカムを介して音声にて行い、当該メダル払出機１に島コントローラ１０２の中継により通信ＩＦを介して補充モード終了の旨を通知する。メダル払出機１はその補充モード終了の旨を受けて、カード受入発行口６にカードがあれば通常の払出モードに移行して計数モードに移行可能とし、カードがなければ待機状態に移行する（ステップＳ１０５）。
【００６２】
また島内メダル供給搬送路６６、メダル搬送通路１０５、メダル供給装置１０４、を備えない場合、管理装置１００は、通信ＩＦを介して島コントローラ１０２に中継されて受信した各メダル払出機１、またはメダル払出機１とスロットマシン２の各セットにおける内蔵メダル数量データを監視し、第５の所定量（重さや数や所定容器に貯蔵されるメダル量に対応した所定位置におけるメダル有無を示す情報等）より大きい第１の所定量を上回ったメダル払出機１、及びメダル払出機１とスロットマシン２の各セットをピックアップすると、店内インカムに音声で台番号とその台番号のメダル払出機１に余剰メダルを取り去るよう通知し、そのメダル払出機１を特定する情報（台番号等）に対応するメダル払出機１に島コントローラ１０２を中継して通信し、排出モードになる許可を与える旨の情報を送信する。するとメダル払出機１の制御部１０３Ｐは、上記「自動補充モード」でなければ、かつ排出モードになる許可を受けていれば、店員によるリモコンにより排出モードが設定されると、遊技者による計数モード、及び払出モードへの移行は禁止され、メダル払出機１の前面側の払出口７８や、ノズル１３から内蔵メダル数量が第１の所定数と第４の所定数の中間程度の第５の所定数となるまで余剰メダルが排出され、第５の所定数になると排出モードが終了する旨の通知を管理装置１００から行うとともに、制御部１０３Ｐは、液晶表示部５に表示ＩＦを介して排出モード終了の表示を行い、店員がリモコンの了解ボタンを押すと、カード受入発行口６にカードがあれば通常の払出モードに移行して計数モードに移行可能とし、カードがなければ待機状態に移行する（Ｓ２００）。
【００６３】
なお、メダル払出機１の制御部１０３Ｐは、ノズル１３の位置センサからの信号をセンサＩＦから入力し、ノズル１３の位置がスロットマシン１の下皿４３に位置していた場合、当該位置を脱する迄、管理装置１の制御部に通信ＩＦを介して島コントローラ１２より指示して、その指示を通信ＩＦを介して受けた管理装置１の制御部が、インカムを通じて、○○番台のノズルをスロットマシンの下皿から外してください、と放送し続ける（ステップＳ１０５）。なお管理装置１００の制御部は、計数処理中、補充処理中にメダルタンク６２に内蔵するメダル数（島コントローラ１０２を経由して通信ＩＦを介し制御部が受信した値）が第５の所定量（重さや数や所定容器に彫像されるメダル量に対応した所定位置におけるメダル有無を示す情報等）を超えたか否かを判定し、超えたと判定した場合には、直にメダル計数処理または補充処理を停止する旨の情報を、メダル払出機１に通信ＩＦを介して、島コントローラ１０２の中継により通知し、メダル払出機１は当該通知に基づき計数処理、補充処理を停止する（Ｓ２００）。
【００６４】
次に図１４に示す各装置のハードウェア構成を説明する。管理装置１００は、制御部を内蔵し、制御部はＣＰＵ、プログラムを記憶する半導体ハードディスク、一時的な演算結果を記憶するＲＡＭで構成される。また管理装置１００は、島コントローラ１０２及びメダル供給装置１０４と通信するための通信ＩＦを備える。また管理装置１００は、ネットワーク上の１乃至複数の管理装置（例えばカード管理装置、景品管理装置、台毎メダル量管理装置、等）で構成して、管理装置で行うＪＯＢを分散して実行させてもよいし、勿論１の管理装置で構成してもよい。
【００６５】
島コントローラ１０２は、制御部を内蔵し、制御部はＣＰＵ、プログラムを記憶する半導体ハードディスク、一時的な演算結果を記憶するＲＡＭで構成される。また島コントローラ１０２は、管理装置１００、メダル払出機１及びメダル供給装置１０４と通信するための通信ＩＦを備える。
【００６６】
メダル供給装置１０３は、既述の機械機構に加え、制御部を内蔵し、制御部はＣＰＵ、プログラムを記憶する半導体ハードディスク、一時的な演算結果を記憶するＲＡＭで構成される。またメダル供給装置１０３は、管理装置１００、島内メダル供給搬送路６６と通信するための通信ＩＦを備える。
【００６７】
またメダル払出機１は、既述の機械機構に加え、制御部１０３Ｐを内蔵し、制御部１０３ＰはＣＰＵ、プログラムを記憶する半導体ハードディスク、一時的な演算結果を記憶するＲＡＭで構成される。またメダル払出装置１には島コントローラ１０２と通信するための通信ＩＦ、カードリーダライタ及び制御部１０３Ｐとカードリーダライタが通信するためのカードリーダライタＩＦ、紙幣識別装置及び制御部１０３Ｐと紙幣識別装置が通信するための紙幣識別ＩＦ、各ボタンの押圧を制御部１０３Ｐが検知するためのボタンＩＦ、液晶表示部５及び制御部１０３Ｐが通信するための表示ＩＦ、計数機構Ｓや７０などからの出力を受けるための電気的特性（例えばインピーダンス変換等）変換するセンサＩＦ、各種モータを制御するモータＩＦを備える。
【００６８】
次に図１５に基づいて、管理装置１００についてのフローチャートを説明する。まず図示しない朝一番における電源投入時において、管理装置１００の制御部は、パワーオンで起動するリセット割り込み処理において、設定された「自動補充モード」または「非自動補充モード」である旨の情報を、通信ＩＦを介して島コントローラ１０２に中継させて各メダル払出機１に送信する。
【００６９】
次いでリセット割込処理において半導体ハードディスクからＲＡＭにプログラムが移行されるとともにＲＡＭのプログラム先頭アドレスにジャンプして先頭アドレスに記憶されたメインルーチンが起動され、以降Ｓ１００からリターン迄を繰り返す。Ｓ１００では、各メダル払出機１が行った各モードにおける、払出モード時のメダルの払い出し数量である払出数、計数モード時のメダルを計数した累積値である計数値、補充モード時の不足メダルの補充を行った補充数、排出モード時の余剰メダルの排出を行った排出数、メダル払出機１に内蔵される第１の総量メダル数、メダル払出機１およびスロットマシン２に内蔵される第２総量メダル数、カードリーダライタのリーダライタ部に受け付けているカードＩＤ情報、ＯＵＴ（賞として払い出されるメダル数）、ＩＮ（遊技のために投入されたメダル数）、台番号を、各メダル払出機１の制御部１０３Ｐにより通信ＩＦを介して、島コントローラ１０２に中継されて、管理装置１００の通信ＩＦを介して管理装置１００の制御部が受信する。
【００７０】
管理装置１００の制御部は受信した前記払出数、計数値、補充数、排出数、第１の総量メダル数、第２の総量メダル数、ＩＮ、ＯＵＴ、ＩＮとＯＵＴの差、時刻、カードＩＤ情報、台番号、島番号、遊技機機種をカードＩＤ情報、台番号、島番号、遊技機機種に対応して半導体ハードディスクの所定の領域に記憶し、指示に従い、所定期間の集計結果、履歴データを、ホール全体、台毎、登録した同じ遊技台グループ毎、島毎、カードＩＤ毎、会員毎に表示モニタに表示したり、印刷することができる（ステップＳ１００）。
【００７１】
次に各メダル払出機１が何のモードなのか、即ち、払出モード、計数モード、補充モード、排出モード、自動補充モード、非自動補充モード、第４の実施の形態の場合には、即投入モードの各モードである旨の情報を、各メダル払出機１の制御部１０３Ｐから通信ＩＦを介して、島コントローラ１０２に中継させて、管理装置１００の制御部が、通信ＩＦを介して受信する（ステップＳ１０１）。
【００７２】
次にステップＳ１００で受けた各パラメータにより出入りするメダル数は全て把握できるので、各メダル払出機１に内蔵される総量メダル数（ステップＳ１０２）、各メダル払出機１とスロットマシン２のセットに内蔵される総量メダル数を計算する（ステップＳ１０３）。尚、ステップＳ１００で受信した総量メダル数と異なる場合（重量センサでメダル数を検知する場合は大きく異なる場合）、当該台番号のメダル払出機１が故障である旨あるいは故障確認を行う旨の指示を出す。
【００７３】
ステップＳ１０４においては島内メダル供給搬送路６６、メダル搬送通路１０５、メダル供給装置１０４、を備える「自動補充モード」である場合ステップＳ１０６に移行し、島内メダル供給搬送路６６、メダル搬送通路１０５、メダル供給装置１０４、を備えない「非自動補充モード」である場合ステップＳ１０５に移行する（ステップＳ１０４）。
【００７４】
ステップＳ１０５は、上記既述の通りである（ステップＳ１０５）。ステップＳ１０５終了後はリターンしスタートに戻る。
【００７５】
ステップＳ１０６は、上記既述の通りである（ステップＳ１０６）。ステップＳ１０５終了後はリターンしスタートに戻る。
【００７６】
次に図１６に基づいて、メダル払出機１の制御部１０３Ｐで実行されるフローチャートを説明する。まず図示しない朝一番における電源投入時において、パワーオン時に起動するリセット割込処理により、メダル払出機１の制御部１０３Ｐは、管理装置１００の制御部から、設定された「自動補充モード」または「非自動補充モード」である旨の情報を、通信ＩＦを介して島コントローラ１０２に中継させて受信し、一旦待機モードをとる。次いでリセット割込処理において半導体ハードディスクからＲＡＭにプログラムが移行されるとともにＲＡＭのプログラム先頭アドレスにジャンプして先頭アドレスに記憶されたメインルーチンが起動され、以降Ｓ２００からリターン迄を高速に繰り返す。
【００７７】
まず制御部１０３Ｐは、ステップＳ２００のモードの設定において、現金の投入が紙幣投入口４になされるか、またはカードの投入がカード受入発行口６になされたことを、夫々、カードリーダライタＩＦ、紙幣識別ＩＦを介して検知すれば払出モードに設定する。なお現金の投入がなされ、カードリーダライタ内におけるリーダライタ部に、読み取り可能なカードないことを、カードリーダライタＩＦを介して制御部１０３Ｐが検知した場合、複数の非会員カードが発行可能に貯留される貯留部から取り出してリーダライタ部へ搬送され投入現金分の有価価値を、発行した非会員カードＩＤに基づいてカード管理装置に記憶する。そして遊技の結果有価価値（度数）がなくなったことを、カードリーダライタＩＦを介して制御部１０３Ｐが検知すれば、待機モードに設定する。非会員カードに有価価値が残った状態、または会員カードがリーダライタ部に存在することをリーダライタＩＦを介して制御部１０３Ｐが検知する場合、カード返却ボタン９９が押されたことをボタンＩＦを介して制御部１０３Ｐが検知すれば、これら非会員カードと会員カードをカードリーダライタから外部に排出し、待機モードに移行する（ステップＳ２００）。
【００７８】
また制御部１０３Ｐは、ステップＳ２００のモード設定において、払出モード中に、計数ボタン８が押されたことをボタンＩＦを介して制御部１０３Ｐが検知すれば、計数モードに移行し、計数機構Ｓ、７０からセンサＩＦを介して制御部１０３Ｐが所定時間（１５秒）検知しない場合には、計数モードから再び払出モードに移行する。なお、既述の「非自動補充モード（６６、１０４、１０５がない）」でありかつ補充モード中、または排出モード中は計数ボタン８がおされても計数モードへは移行しない。既述の「自動補充モード（６６、１０４、１０５がある）」であれば勝手に補充されて排出されるため払出モードから計数モードへの移行は行ってもよい（ステップＳ２００）。またいかなるときにもメダルタンク６２に第１の所定量（（重さや数や所定容器に貯蔵されるメダル量に対応した所定位置におけるメダル有無を示す情報等）または他の所定数）を超える多量のメダルが存在するときには、計数モードへは移行しない。
【００７９】
また制御部１０３Ｐは、ステップＳ２００のモード設定において、既述の「非自動補充モード（６６、１０４、１０５がない）」でありかつ管理装置１００を備える場合、管理装置１００から通信ＩＦを介して、島コントローラ１０２に中継されて、補充モードとする旨の指示を受けた場合、補充モードに移行する。また既述の「非自動補充モード（６６、１０４、１０５がない）」でありかつ管理装置１００がない場合、制御部１０３Ｐは、メダルタンク６２に内蔵されるメダル数が第４の所定量（重さや数や所定容器に貯蔵されるメダル量に対応した所定位置におけるメダル有無を示す情報等）以下となったことをセンサＩＦを介して検知した場合、補充モードに移行する。
【００８０】
補充モードから通常の払出モードへの移行は、制御部１０３Ｐが、センサＩＦを介して入力したメダルタンク６２に内蔵されるメダル数が第１の所定量（重さや数や所定容器に貯蔵されるメダル量に対応した所定位置におけるメダル有無を示す情報等）と後述する第４の所定量（重さや数や所定容器に貯蔵されるメダル量に対応した所定位置におけるメダル有無を示す情報等）の中間の第５の所定量（重さや数や所定容器に貯蔵されるメダル量に対応した所定位置におけるメダル有無を示す情報等）となったことをピックアップした際に、補充完了を表示ＩＦを介して液晶表示部５に表示し、その了解がリモコンより受信された場合に行われる。なお補充モードにおいては、計数モード、排出モードへの移行は行われない。また既述の「自動補充モード（６６、１０４、１０５がある）」であれば勝手に補充されて排出されるため補充モードへの移行は行われない（ステップＳ２００）。またいかなるときにもメダルタンク６２に第１の所定量（（重さや数や所定容器に貯蔵されるメダル量に対応した所定位置におけるメダル有無を示す情報等）または他の所定数）を超える多量のメダルが存在するときには、補充モードへは移行しない。
【００８１】
また制御部１０３Ｐは、ステップＳ２００のモード設定において、既述の「非自動補充モード（６６、１０４、１０５がない）」でありかつ管理装置１００を備える場合、管理装置１００から通信ＩＦを介して、島コントローラ１０２に中継されて、排出モードとする旨の指示を受けた場合、排出モードに移行する。
【００８２】
また既述の「非自動補充モード（６６、１０４、１０５がない）」でありかつ管理装置１００がない場合、制御部１０３Ｐは、メダルタンク６２に内蔵されるメダル数が第４の所定量（重さや数や所定容器に貯蔵されるメダル量に対応した所定位置におけるメダル有無を示す情報等）より大きい第１の所定量（重さや数や所定容器に貯蔵されるメダル量に対応した所定位置におけるメダル有無を示す情報等）以上となったことをセンサＩＦを介して検知した場合、排出モードに移行する。排出モードから通常の払出モードへの移行は、メダルタンク６２に内蔵されるメダル数が第１の所定量（重さや数や所定容器に貯蔵されるメダル量に対応した所定位置におけるメダル有無を示す情報等）と後述する第２の所定量（重さや数や所定容器に貯蔵されるメダル量に対応した所定位置におけるメダル有無を示す情報等）の中間の第５の所定量（重さや数や所定容器に貯蔵されるメダル量に対応した所定位置におけるメダル有無を示す情報等）となって、排出完了を液晶表示部５に表示し、その了解がリモコンより受信された場合に行われる。なお排出モードにおいては、計数モード、補充モードへの移行は行われない。また既述の「自動補充モード（６６、１０４、１０５がある）」であれば勝手に補充されて排出されるため排出モードへの移行は行われない（ステップＳ２００）。
【００８３】
次に制御部１０３ＰはステップＳ２０１において、ステップＳ２００において設定したモードが何かを判定する。待機モードであればリターンしてスタートに戻る。計数モードであればステップＳ２０1の計数処理を実行し、払出モードであればステップＳ２０３の払出処理を実行し、補充モードであればステップＳ２０４の補充処理を実行し、排出モードであればステップＳ２０５の排出処理を実行する（ステップＳ２０１）。
【００８４】
制御部１０３Ｐは、ステップＳ２０２において計数処理を行う。計数処理中には、貸出ボタン９、再プレーボタン７が押されても何もしない。計数処理では、計数機構７０、近接Ｓのメダル１枚毎の検知信号を積算して記憶する（ステップＳ２０２）。なお制御部１０３Ｐは、計数処理中にメダルタンク６２に内蔵するメダル数が所定の多量の値（第２の所定数（重さや数や所定容器に貯蔵されるメダル量に対応した所定位置におけるメダル有無を示す情報等））を超えたと判定した場合には、直にメダル計数処理を停止（計数機構７０の停止、揚送機構６０、７４の停止、７７シャッタの閉塞、また揚送機構６０、７４のメダル受入口に設けたシャッタの閉塞）する。
【００８５】
制御部１０３Ｐは、ステップＳ２０３において払出処理を行う。払出処理中には、計数ボタンが押されても計数しないし、他のモードへの移行による処理は行わない。払出処理では、制御部１０３Ｐは、ボタンＩＦを介して再プレーボタン７が押されたことを検知した場合、既述の持ちメダル数を消費して、優先して払い出し、持ちメダル数がなくなると既述の貯メダル数を消費して払い出すよう、モータＩＦを介して払出用モータ６５を駆動して前記消費分のメダル数を払い出す。また制御部１０３Ｐは、ボタンＩＦを介して貸出ボタン９が押されたことを検知した場合、有価価値（度数）をカード管理装置からカードＩＤに基づいて読み出し、所定のメダル数（５０メダル１０００円分）の度数を引き落とすとともに、モータＩＦを介して払出用モータ６５を駆動して前記引き落とし分のメダル数を払い出す（ステップＳ２０３）。
【００８６】
制御部１０３Ｐは、ステップＳ２０４において補充処理を行う。補充処理中には、計数及び払出をしないし、他のモードへの移行による処理は行わない。補充処理では、制御部１０３Ｐは、計数機構７０、近接センサＳでカウントしながら受入口１７からのメダルを補充用として受け入れるようにしてもよいし、補充扉１０を開いて補充してもよい。なお補充用メダルの受け入れのため、補充用メダルを計数しないか、または計数してもその計数結果を景品交換可能な獲得遊技媒体数として処理しないように計数値と補充数とを分けて記憶する。勿論、上記した如く「自動補充モード（６６、１０４、１０５がある）」であれば勝手に補充されるので、制御部１０３Ｐは何もしない（ステップＳ２０４）。なお制御部１０３Ｐは、補充処理中にメダルタンク６２に内蔵するメダル数が所定の値（第５の所定量（重さや数や所定容器に彫像されるメダル量に対応した所定位置におけるメダル有無を示す情報等））を超えたと判定した場合には、直にメダルの補充処理を停止（計数機構７０の停止、揚送機構６０、７４の停止、７７シャッタの閉塞、シャッタ８８の閉塞、また揚送機構６０、７４のメダル受入口に設けたシャッタの閉塞）する。
【００８７】
制御部１０３Ｐは、ステップＳ２０５において排出処理を行う。排出処理中には、計数及び払出をしないし、他のモードへの移行による処理は行わない。排出処理では、制御部１０３Ｐは、液晶表示部５に表示ＩＦを介して「余剰メダルの排出」の警告を表示し、かつ管理装置１００へ通信ＩＦを介して、島コントローラ１０２に中継させて、「排出モード」である旨の情報と台番号を送信する。
【００８８】
管理装置１００では、「排出モード」である旨の情報を受けるとインカムで音声にて、受信した台番号に対応して「○○番台余剰メダル排出します」と案内する。この案内を受けた店員が、払出ノズル１３をスロットマシン２の下皿４３に臨んだ位置から外れた位置として、メダル箱を構えてリモコンから「排出受け準備完了」の旨の情報を送信する。するとメダル払出機１の制御部１０３Ｐは、店員所持のリモコンから「排出受け準備完了」の旨の情報を受けると、モータＩＦを介して払出用モータ６５を駆動して、余剰メダルを外部に払い出す。勿論、上記した如く「自動補充モード（６６、１０４、１０５がある）」であれば勝手に排出されるので、制御部１０３Ｐは何もしない（ステップＳ２０５）。
【００８９】
なお、払出ノズル１３をスロットマシン２の下皿４３に臨んだ位置にあることを、制御部１０３ＰがセンサＩＦを介して入力した位置情報により検知した場合、制御部１０３Ｐは、液晶表示部５に表示ＩＦを介して「余剰メダルの排出」の警告を表示し、かつ管理装置１００へ通信ＩＦを介して、島コントローラ１０２に中継させて、「排出モードですがノズルの位置がお客様のスロットマシン側となっているので、ノズルの位置を変更してください」である旨の情報と台番号を送信する。管理装置１００では、「排出モード」である旨の情報を受けるとインカムで音声にて、受信した台番号に対応して「○○番台排出モードですがノズルの位置がお客様のスロットマシン側となっているので、ノズルの位置を変更してください」と案内するとよい。
【００９０】
次に制御部１０３Ｐは、ステップＳ２０６に移行し、既述のステップＳ１００で管理装置１００が受信する情報を、通信ＩＦを介して、島コントローラ１０２に中継させて、送信する（ステップＳ２０６）。
【００９１】
次に制御部１０３Ｐは、ステップＳ２０７に移行し、既述のステップＳ１０１で管理装置１００が受信する情報を、通信ＩＦを介して、島コントローラ１０２に中継させて、送信する（ステップＳ２０７）。
【００９２】
次いで本実施例を応用した実施の形態を図１７から図２０に基づいて説明する。図１７から図２０は第５の実施の形態であり、当該メダル払出機１の斜視図である。図１７は第５の形態のメダル払出機１の前面側斜視図である。図１８は、第５の形態のメダル払出機１にメダル収容器を配置した前面側斜視図である。図１９は、第５の形態のメダル払出機１にメダル収容器を配置した後回転させた前面側斜視図である。図２０は、第５の形態のメダル払出機１における収納留め部を退去させた前面側斜視図である。
【００９３】
図１７から図２０における第５の形態のメダル払出機１は、図８における受入口６７、図９における受入口６８以外の構造は、図８、図９と同じである。また図１７から図２０における第５の形態のメダル払出機１は、図９の構造の異なる点として、収納留め部として機能する根元側の設置台１２５、先端側の設置台１２６をそれぞれ備え、その設置台１２５の筺体３前面側１３４の水平方向左右に薄板状のガイド１２５を備え、また設置台１２５の中央には谷部１２７を備える点が挙げられる。また筺体３前面側１３４には、メダルを受け入れる半ドーム状の孔である半ドーム孔１２２が開口され、半ドーム孔１２２の下面には特公昭６３−３６０４０公報記載の円筒径内を回転するディスクにメダルを受け入れるメダル受入孔１２４を設け、ホッパー底部に設けられた固定されたガイドピンであって、ディスクが回転するとディスク下面側であってディスク回転軌道上に設けられた切欠部をガイドピンが通過するよう構成され、メダル受入孔に受け入れたメダルがガイドピンに導かれ、円筒径内外延に設けられた排出口から１枚毎に排出する機構（ディスク型整列機構）が設けられている。
【００９４】
図１８においては、メダル箱１３２（メダル収容器の１例）を、設置台１２５、１２６の上部側が支持し、またメダル箱１３２の下端部の筺体３前面１３４側がガイド１２３の間にガイドされつつ、自重で落下しないよう設置できる。そしてメダル箱１３２の筺体３前面１３４側と反対側の端部が図示された矢印の方向に持ち上げて回転させることができる。図１９に示す如くメダル箱１３２が回転軸１２８を中心に回転させられると、メダル箱１３２内のメダルがメダル箱１３２の内側側面の下側から半ドーム孔１２２に滑落し、図１０（図１０は本実施例のメダル払出機１を側面方向から見た内部断面説明図である。）における計数機構７０に導かれ、計数機構７０で計数されたメダルはメダルタンク６２へ図示された矢印の方向へ落下して収容することができる。
【００９５】
設置台１２６は、筺体３前面１３４に対し垂直な方向に進退自在であり、設置台１２５内に退くことで人間の体などに接触して邪魔になることを防止し、進出することで大きなメダル箱１３２を落とさないよう支持可能とできる。図２０においては、設置台１２６が設置台１２５内に退去した状態を示している。設置台１２５に対し設置台１２６の進退は、人間が設置台１２６の先端を持って進退させることで実現できる。設置台１２５の内部空間の上下には、その中心に向かってラチェット機構の凹凸が配置され、設置台１２６の設置台１２５内部空間に常に位置する外側上下の部位には、ばねで外方向に付勢され、内方向に向かって退去するよう形成された凸部が、前記設置台１２５の凹凸の凹部に嵌合して、設置台１２５から設置台１２６の突出位置を任意に決められる。設置台１２６を最大突出させると、設置台１２５の突出最先端部内壁に、設置台１２６の根元端部外壁が当接して、設置台１２５に対し設置台１２６を取り出すことができないよう嵌合する。
【００９６】
次いで本実施例を応用した実施の形態を図２１から図２３に基づいて説明する。図２１から図２３は第６の実施の形態であり、当該メダル払出機１の側面説明図である。図２１は第６の形態のメダル払出機１におけるメダル箱１３２を配置していない側面説明図である。図２２は第６の形態のメダル払出機１におけるメダル収容器を配置した側面説明図である。図２３は第６の形態のメダル払出機１におけるメダル収容器を配置した後回転させた側面説明図である。
【００９７】
図２１から図２３における第５の形態のメダル払出機１は、図８における受入口６７、図９における受入口６８以外の構造が、図８、図９と同じである。また図２１から図２３における第６の形態のメダル払出機１は、図８の構造の異なる点として、収納留め部として機能する１３１、１２９を備える点が挙げられる。
【００９８】
図２１において、メダル払出機１の筺体３の前面１３４中段（ノズル１３の上方側）に、収納留め部として機能するフック１３１にメダル箱１３２の把手１３３に掛けることができる。また同じく、メダル払出機１の筺体３の前面１３４中段に、収納留め部として機能する支持台１２９は、メダル箱１３２の下部を支えることができる。フック及び支持台１２９は、メダル箱１３２の形状にあわせて任意の形状のものに交換できる。また半ドーム孔１２２を筺体３の前面１３４の内部側に半球状に形成して備える。半ドーム１２２の下方にはメダルを一時に流下しないようにする絞り１３５を備える。また既述のディスク型整列機構１２４を受入口１３０の底側に備える。なお支持台１２９はメダル箱下部を支えるのではなく、支持台１２９ａの如く、メダル箱１３２の筺体３前面１３４側の側面を支えるようにしても落下しない。
【００９９】
図２２の如く、メダル箱１３２の把手１３３をフック１３１に掛け、メダル箱１３２の下部を支持台１２９上に載置すると、メダル箱１３２は落下しないよう筺体３の前面１３４中段部分に留めることができる。この状態でメダル受入口１３０にメダルを手ですくって投入するようにしてもよいが、図２３に示す如く、メダル箱１３２をフック１３１を軸受けとし、把手１３３を回転軸に回転させ、半ドーム孔１２２にメダルを落下させて、ディスク型整列機構１２４の回転不可能なメダル重量をかけないための絞り１３５にて流下量の制限を受けつつ、図１０（図１０は本実施例のメダル払出機１を側面方向から見た内部断面説明図である。）における計数機構７０に導かれ、計数機構７０で計数されたメダルはメダルタンク６２へ図示された矢印の方向へ落下して収容することができる。
【０１００】
次に本実施例を応用した第７の実施の形態を図２４に基づいて説明する。図２４は、第７の形態の当該メダル払出機１の側面説明図である。図２２と異なり、メダル箱１３２の下端を、支持台１２９の変わりに受入口１３０の上縁端が支持し、メダル収納箱１３２の底面がメダルが滑落可能な角度αだけ傾斜している点が挙げられる。またメダル箱１３２の側面にはシャッタ１３６を備え、シャッタ１３６は、側面開口部を開閉自在に摺動可能に、溝部１３９によって挟持されている。またシャッタ開閉駆動部１３８からの動力を受けて把手１４０が、シャッタ１３６の一部に外側へ突出した突起１３７に当接して作用することでシャッタ１３６が開閉動作をする。シャッタ１３６が開状態になるとメダル箱１３２内のメダルが傾斜度αによって滑落してメダル受入口１３０に滑落し、ディスク型整列機構１２４を介して、図１０（図１０は本実施例のメダル払出機１を側面方向から見た内部断面説明図である。）における計数機構７０に導かれ、計数機構７０で計数されたメダルはメダルタンク６２へ図示された矢印の方向へ落下して収容することができる。なお、シャッタ１３６の開閉動作は、メダル箱１３２の存在の有無を検知するスイッチを受入口１３０とメダル箱１３２の下部の接触点や、把手１４０と突起１３７の接触点や、把手１３３とフック１３１の接触点に設けたり、或いは光学式センサでメダル箱１３２の有無を検知することで、メダル箱１３２有りで開動作させ、メダル箱１３２無しで閉動作させるようにするとよい。
【０１０１】
次に本実施例の１の形態（Ａ案）を図２５、図２６に基づいて説明する。図２５は、図１０に対し、メダル導き選択手段を構成する各要素１５０〜１５６が追加されている。メダル導き選択手段としては、メダル受入部６７が筺体前面１３４側に設けられ、上方が広く開口した半ドーム形状の漏斗状のもの６７とし、メダル貯蔵部６２の上方に配置し、メダル受入部６７から受け入れたメダルをメダル貯蔵部６２へ落下させて導く（第１経路）場合、メダル受入部６７の底部にディスク型整列機構７０を配置し、メダルをディスク型整列機構７０によって整列後に第１経路と第２経路とに振り分けて案内する。
【０１０２】
滑落路前半１５６から滑落路後半１５５の間の開口部を開閉可能なシャッタ１５０を備え、メダルをディスク型整列機構７０によって整列後に、シャッタ１５０は制御部１０３Ｐに制御されるソレノイド１５４によって、１５０ｐの開口状態と１５０ｑの閉塞状態とに制御することができる。またシャッタ１５０は蝶番１５３によって滑落路の後半側の１５５の上端に回動自在に軸支される。スロットマシンへのメダル投入モードである旨のボタン（図示せず）が押された場合、制御部１０３Ｐによってシャッタ１５０は、開口状態を１５０ｐに制御され、シャッタ１５０の蝶番に近い、下流側のシャッタ下流端部が高く位置させ、滑落路１５６から運動エネルギーを伴って滑落するメダルを、シャッタ下流端部で受けて確実に止めて、第２経路であるスロットマシン側への通路１５１に導くことができる（第２経路）。
【０１０３】
ここで、滑落路前半１５６の下端部は、シャッタ１５０ｑより高い位置にあり、シャッタ１５０ｑの下端部は滑落路後半１５５の上端部より高い位置にあることで、メダルの滑落がスムーズである。また、通路１５１はメダル払出部６３通路と合流部１５２と合流し、ノズル１３からスロットマシンへ払い出される。なお、筺体前面１３４からシャッタ１５０、通路１５１、合流部１５２は全て透明で遊技者からメダルの動きを目視することができる。
【０１０４】
一方、計数ボタンがおされ計数モードをとる場合には、制御部１０３Ｐによってシャッタ１５０が閉塞状態である１５０ｑの状態に制御され、滑落路１５６から滑落するメダルをシャッタ１５０ｑの上を滑落し、さらに後半の滑落路１５５の上に至り、次いで、１５５下端からメダル貯蔵部６２に落下させて導くことができる（第１経路）。（以上Ａ案）
【０１０５】
次に本実施例の１の形態（Ｂ案）を図２７、図２８に基づいて説明する。図２７は、図１２に対し、メダル導き選択手段を構成する各要素１６０、１６１、１５ａ〜１５ｇが追加され，穿設孔７７、突出部７６等が除かれている。メダル導き選択手段としては、筺体前面１３４下側に２つのリフト機構７４１における入口７７１と入口１６０とを並べて配置し、第１経路（メダル貯蔵部側）に導く場合は第１のリフト機構側の入口１６０に、第２経路（スロットマシン側）に導く場合は第２リフト機能側の入口７７１に、振り分けて分岐通路１５ａまたは１５ｈの内いずれかの側に案内して導くものである。
【０１０６】
図２８に示す如く、制御部１０３Ｐはソレノイド１５ｇを駆動して、振分弁を１５ｈ側に位置させるためロッド１５ｆを退き側にすると、湾曲路１５を介して転動流下してきたメダルを入口７７１側である開口１５ｃへ導くことができる。また制御部１０３Ｐはソレノイド１５ｇを駆動して、振分弁を１５ａ側に位置させるためロッド１５ｆを突出側にすると、湾曲路１５を介して転動流下してきたメダルを入口１６０側である開口１５ｄへ導くことができる。
【０１０７】
図２９に示す如く、入口７７１へメダルが導かれる場合、制御部１０３Ｐによってモータ８７を順方向に駆動して駆動ローラ８６を順方向回転させ、メダルを揚送させた後傾斜面８０から滑落後ネット８１ｂへ導く。また入口１６０へメダルが導かれる場合、制御部１０３Ｐによってモータ８７を逆方向に駆動して駆動ローラ８６を逆方向回転させ、メダルを揚送させた後筺体内部投入口１６１へ導く。そして筺体内部投入口１６１から投入されたメダルは、計数部によって計数後、メダル貯蔵部であるメダルタンク６２に導かれる。
【０１０８】
次に本実施例の１の形態（Ｃ案）を図２９、図３０に基づいて説明する。図２９は、図１２に対し、メダル導き選択手段を構成する各要素１７０、１７１、１７２が追加され，穿設孔７７、突出部７６等が除かれている。メダル導き選択手段としては、筺体前面１３４下側に１つのリフト機構７４１を配置し、筺体前面中段に傾斜面８０の途中にシャッタ１７０を配置し、メダルをリフト機構７４１によってリフトアップ後に、制御部１０３Ｐに制御されてソレノイド（図示しない）が駆動しシャッタ１７０が開口すると傾斜面８０から開口を経て落下させ、第１通路１７１に至り、第１通路１７１を滑落させつつ経てメダル貯蔵部であるメダルタンク６２へ導く第１経路と、制御部１０３Ｐに制御されてソレノイド（図示しない）が駆動しシャッタ１７０が閉塞すると傾斜面８０からシャッタ１７０上を滑落し開口７９に至り、開口７９からネット８１ｂに滑落させる第２経路とに導く、即ち第１経路側と第２経路側へのいずれかの側に振り分けて案内する。
【０１０９】
なお、シャッタ１７０は、蝶番で回転自在に軸支され、開口すると、端部１７０ａが傾斜面８０より高い位置に位置し、滑落するメダルの滑落方向にシャッタ端部１７０ａが臨み、滑落するメダルがシャッタ端部１７０ａに衝突して第１通路１７１に確実に導く。またシャッタ１７０は、閉塞すると、滑落路８０のシャッタ１７０より上流側下端部より、シャッタ１７０上端部が下に位置し、滑落路８０のシャッタ１７０より下流側上端部より、シャッタ１７０下端部が上に位置することで、滑落路８０から滑落するメダルが、滑落路８０のシャッタ１７０より上流側下端部、シャッタ上面、滑落路８０のシャッタ１７０より下流側上端部、を経て開口７９に滑落可能とすることができる。
【０１１０】
また第１通路は、シャッタ１７０の開口によってメダルを受け入れると、筺体内部への開口１７２に向かって滑落可能に傾斜した傾斜面を備え、当該傾斜面から開口１７２を介してメダル貯蔵部であるメダルタンク６２にメダルを導くことができる。
【０１１１】
次に発明における第１の実施形態を図２９、図３０に基づいて説明する。本実施の形態のメダル払出機における筺体１３４内部から前記筺体１３４前面の外部にメダルを払い出す払出通路（カバー体７４１からネット８１ｂよりメダル停止部８１Ｃに至る迄）を備えたメダル払出機１は、払出通路における支持体として、ネット８１ｂが、重力の作用で移動する移動メダルの移動方向の下方側の２本、及び水平側方側に２本、合計４本の格子状に形成され、移動メダルが外部に飛び出さないよう水平側方側の格子から下方側２本の格子によって支持される。一方の水平側方側の格子から下方側２本の格子を経て反対側の水平側方側の格子まで透明な曲面で覆うようにしてもよい。またネット８１ｂは、移動速度を低下させるために十分緩やかな傾斜度７度程度に形成された滑り台をなし、カバー体７４１の出口７９からメダル停止部８１Ｃにかけて５０枚程度のメダルを積層することができる。
【０１１２】
重力の作用によって移動中のメダルは、メダル外縁部が、４本の格子状に形成されたネット８１Ｂの下方側の格子と水平側の格子に支持され、外部に飛び出すことがないよう、主にネット８１Ｂの下方側の２本の格子上をメダル側面が接触して滑落する。最初の移動メダル（第１メダル）の移動方向における外縁部がメダル停止部８１Ｃに当接して移動方向を斜め下方から斜め上方に変更され、移動方向が上方に変更されることで作用する重力の作用とメダル側面と格子間の摩擦力により停止する。次いで、次回以降に同様に移動する移動メダル（第２メダル）の移動方向における外縁部が、第１メダルの場合のメダル停止部８１Ｃに当接する代わりに第１メダルの上側面に当接して移動方向を斜め下方から斜め上方に変更され、移動方向が上方に変更されることで作用する重力の作用とメダル側面と格子間の摩擦力により停止する。そして第２メダルが停止する際に前記第１メダルと前記第２メダルが積層状態となる。その積層状態となった積層メダルを取り出し可能に開口或いは開口可能な開口部として、積層メダルの下方側の２本の格子と水平側方側の２本の格子の反対側の上方側が開口している。
【０１１３】
この実施の形態によれば、払出通路は、重力の作用で移動する移動メダルの移動方向の周囲の一部を覆う格子状に形成されたネット８１Ｂの支持体によって、移動メダルが外部に飛び出さないよう支持され、最初の移動メダルである第１メダルが停止した後、次回以降に同様に移動する第２移動メダルが停止した際に第１メダルと第２メダルを積層状態とすることができる。また積層状態となった積層メダルを取り出し可能な開口部を備えるので、遊技客はメダルを積層状態のまま開口部から取り出すことができ、さらに遊技客がメダルをメダル投入口に運ぶ手間を極力減らすことができる。
【０１１４】
尚、この実施例では支持体としては、図２９及び図３０に示すネット８１Ｂのような格子状、図３１、３２、３３、３４に示す外形が四角柱であり内部が８角柱の空洞２０１で形成されたパイプ体２００、図３５、３５、３７に示すパイプ体２２０を例示しているが、例えば、内部が空洞の円柱形状や多角柱（三角柱、四角柱）等のパイプ体、複数の格子を移動方向と平行に円筒状や多角柱状に配置した籠体、該パイプ体と該籠体の合体物、などで実施してもよい。
【０１１５】
図３１について説明する。図３１は揚送機構７４の拡大した斜視図であり、図２９に対し、シャッタ１７０、ネット８１ｂが存在しない代わりに、パイプ体２００、ステップモータ２０５、ギヤ２１０、２０８、昇降台２０２等を主に備える。図３２は図３１におけるパイプ体２００の水平断面ＭＭ’である。
【０１１６】
パイプ体２００は、外形が鉛直方向を長手とする直方体であり、内部に８角柱の空洞を有し、その空洞は、上方の開口７９より提供されるメダルを５０枚程度積層可能な容量を備え、メダルを積層可能なよう底部が閉じて形成される。パイプ体２００は、パチンコホールで主に用いられるメダル径２５ｍｍのものと３０ｍｍのものに対応して２種類のものを揚送機構７４の開口７９からメダルを取り入れ可能に任意に取り付け可能である。パイプ体２００の遊技客側と反対側のメダル払出機１側側面には、鉛直方向を長手とする第２の開口２０４が開口されて形成される。第２の開口２０４を介し、パイプ体側方に取り付けられメダル払出機１側の水平方向に突出した回転軸２１１よりステップモータ２０５からの駆動力が、２１１に軸支されるギヤ２１０、ギヤ２１０と歯合する回転自在に回転軸２０９で軸支されるピニオンギヤ２０８、ピニオンギヤ２０８とし歯合するラック２０７を介して伝達され、昇降台２０２が第２の開口２０４の長手方向（鉛直方向）を上下する（支持体移動手段）。
【０１１７】
そしてメダル払出機１に内蔵する制御（ＣＰＵ）部は、ＲＡＭやＲＯＭに記憶されたプログラムを読み出して実行し、開口７９のやや下方に設けられた光センサから受けた入力をＣＰＵのポート入力に受け、そのポート入力のＯＮ状態が所定時間を超えると積層メダルの積層量が一杯になったとして、一瞬の通過メダルではなく積層された結果昇降台２０２を更に下げないとパイプ体２００内に貯留することができないと判断されるので、支持体移動手段である昇降台２０２を下降させるようステップモータ２０５へ指示出力する。そして制御部は、光センサから入力がまったくない状態が継続する場合、昇降台２０２を上昇させ、上昇の結果光センサから受け他入力のＯＮ状態が所定時間を超えると昇降台２０２を再び下げる。
【０１１８】
この実施例によれば、積層メダルの積層量に応じて支持体移動手段によってメダル停止部の位置を制御するので、支持体２００における移動メダルの移動距離による移動速度の差や移動距離の差による移動メダルの停止後の挙動や停止前の姿勢を一定にすることができため、乱れなく積層できる。なお光センサによるメダル積層量を検知する例を例示したが、パイプ体２００の底部に設けられた重量センサによってメダルの積層量を検知するようにしてもよい。
【０１１９】
パイプ体２００の内部の空洞２０１は、上下方向を長手とする水平断面が八角の八角柱形状であり、平板形状である昇降台２０２の上方から見た形状も空洞２０１の八角の内側に存在可能な八角形状である。空洞２０１の側面と昇降台２０２の水平端部とは、上下方向に動作可能なよう隙間を形成する。
【０１２０】
図３３に示す如く、パイプ体２００の内部の水平断面が八角形ではなく四角形であるような場合であって、昇降台２０２上に停止した最初のメダルである第１メダルが存在する場合かつ第２のメダル２１４が第１メダルとパイプ体２００の側面間に起立して存在する場合、積層が完成しないで少なくとも起立したメダルを取り出し難い状態となって好ましくない。
【０１２１】
そこで積層状態を確実に実現するための１例として、図３１、３２、３４に示す如く、空洞２０１を八角柱形状とし、第２のメダルが起立しないよう、さらに、パイプ体２００（支持体）は、移動メダルの移動終端において移動メダルを停止させ、第１メダルが支持体内の断面積の一部乃至全部を塞いだ状態で停止させるメダル停止部として昇降台２０２を備え、停止した第１メダルとパイプ体２００の間の隙間の側に第２メダルの外縁が位置（第１の位置）した時に、第２メダルの第１の位置と異なる上方側における外縁と前記支持体の接触部（２１２の付近）が、上方から下方を見た際に第１の位置より停止した第１メダルの中央側に寄ることによって「ＳＥＫＩ」の方向に第２メダルが倒れるので、第１の位置にある、第２メダルを起立不可能とすることができ、順次払い出されるメダルを確実に積層することができる。即ち図３２のようにＭＭ’における空洞２０１が五角柱以上の多角柱から円の断面を備えれば、停止した第１メダルとパイプ体２００の間の隙間の側に第２メダルの外縁が位置（第１の位置）した時に、第２メダルの第１の位置と異なる上方側における外縁と前記支持体の接触部（２１２の付近）が、上方から下方を見た際に第１の位置より停止した第１メダルの中央側に寄ることによって「ＳＥＫＩ」の方向に第２メダルが倒れるようにできる。
【０１２２】
図３５、３６、３７について説明する。図３５は、本実施例におけるメダル払出機１の側面から見た断面図である。図３６は揚送機構７４の拡大した斜視図であり、図３１に対し、パイプ体２００が存在しない代わりに、パイプ体２２０を備える。図３７は、図３５におけるパイプ体２２０の突出方向に垂直な断面ＬＬ’図である。
【０１２３】
パイプ体２２０は、外形が四角柱、内部に断面が楕円の円柱状の空洞を有し、遊技者側に開口２２１を開口する。開口２２１付近は、可撓性材料で形成され塩化ビニール製である。遊技者は積層メダルを取り出す際には、開口２２３（常時開口しない状態であっても遊技者によって大きく広げて開口できればよい）の可撓性を利用して開口２２１を大きく広げて積層メダルを取り出すことができる。空洞を移動中の移動メダルは、端部２２４が空洞の断面の楕円の長い方の端部２２２に対抗し、楕円端部２２２と移動メダル端部２２４とが移動可能な隙間が生じるよう形成される。また移動メダルの上面を開口２２１に向けて対抗させ、移動メダルの下面を空洞の断面の楕円の下側の短い方の端部２２３に対抗させ、移動メダルの移動姿勢を所定の状態とすることができる。
【０１２４】
重力の作用によって移動中のメダルは、メダル外縁部が、パイプ体２２０に支持され、外部に飛び出すことがないよう、パイプ体２２０内の空洞上をメダル側面が接触して滑落する。最初の移動メダル（第１メダル）の移動方向における外縁部がメダル停止部８１に当接して停止する。次いで、次回以降に同様に移動する移動メダル（第２メダル）の移動方向における外縁部が、第１メダルの場合のメダル停止部８１Ｃに当接する代わりに第１メダルの上側面に当接して停止する。そして第２メダルが停止する際に前記第１メダルと前記第２メダルが積層状態となる。
【０１２５】
パイプ体２００及び２２０は、透明であり機械的強度のある合成樹脂としてポリカーボネイトで形成されている。パイプ体２００は、遊技客が積層メダルの積層状態を視認しながら取り出すことができるように透明乃至半透明であることが好ましい。パイプ体２００は他に機械的強度のあるナイロン等で形成してもよい。またパイプ体の遊技者側の面には、パイプ体２００と可撓性材料２１５及び２２３は接着部２１６にて接着され、可撓性材料２１５及び２２３によって積層メダルを取り出す為開口部２０３、２２１を遊技客の指を挿入可能な程度開口して形成する。可撓性材料２１５及び２２３は塩化ビニールで形成される。他の可撓性材料としては、塩化ビニールの他にポリエチレン、ポリプロピレン、ポリペットなどを用いることができる。
【０１２６】
なお、本実施例のメダル払出機は、開口部２０３、２２１は、前記積層メダルの積層方向における最大断面積（メダル直径×積層枚数×メダルの厚み）以下の開口面積に形成され、少なくとも開口部周囲の一部乃至全部が開口時に開口面積を増大可能なよう可撓性材料によって形成される。遊技者が積層メダルを取り出す時には可撓性を利用して開口部を押し広げて取り出すことができる。
【０１２７】
また、上記いくつかの本実施の形態（Ａ、Ｂ、Ｃ、Ｄの各案）によって、本実施例のメダル払出機及びメダル払出機のメダル払出方法を実現することができる。そして、本実施の形態によれば、メダル導き選択手段として、筺体側へ１枚毎に転動流下するメダルを筺体前面下側に導き、無端ベルト７５で構成されるコンベアリフト上に、転動メダルをその姿勢のままメダル外縁部を乗せるための搬送突起８３を有し、その突起８３は筺体前面側が下側に、筺体前面側と反対側の転動メダル上流側が上側になるよう斜めに傾斜させている（このように傾斜させればソレノイド８５が必要ない）。そして無端ベルト７５を、リフト方向に垂直な四方を覆う通路７４１内に配置し、計数モードにおいては、無端ベルトによってメダルをリフト中に、メダル外縁部と接する筺体前面に開口された穿設口７７を開閉するシャッタ７７ａを制御部１０３Ｐに制御されて開口すると、筺体前面に配置した内部のメダル貯蔵部へ導くことが可能な経路へ導くことができる。またスロットマシンへのメダル投入モードである旨のボタン（図示せず）が押された場合、制御部１０３Ｐに制御されて当該シャッタ７７ａを閉じると無端ベルト７５によってリフト後スロットマシン側であるネット８１ｂに導くことができるという効果を奏する。
【０１２８】
また、図２５、図２６で示すメダル払出機１（Ａ案）において、さらに、遊技台に隣接して設けられた筺体３と、投入されたメダルを受け入れるメダル受入部６８、１３０と、メダル受入部６８、１３０から受け入れたメダルを貯蔵するメダル貯蔵部６２と、前記メダル貯蔵部６２に貯蔵されるメダルを前記筺体前面側に払い出すメダル払出部６３、１３等と、メダル貯蔵部に流下可能な高さ位置であって（前記メダル払出部の上方側であって）筺体３前面側１３４側面に設けられ、メダル収容可能なメダル収容器を着脱可能に落下させない状態で留めることが可能な収納留め部６８における１２０及び１２１、１２５及び１２６、１２９および１３１、１３１及び１３０の上縁端、を備え、留められたメダル収容器６９、１３２からメダル受入部６８、１２２、１３０までのメダルを手等で運ぶ距離が短いため、メダルをメダル払出機へ投入する際手間なく溢し難くできると言う効果を奏する。
【０１２９】
また、図２５、図２６で示すメダル払出機１（Ａ案）において、さらに、メダル払出機１は、遊技台に隣接して設けられた筺体３と、投入されたメダルを受け入れるメダル受入部と、メダル受入部６８、１３０から受け入れたメダルを貯蔵するメダル貯蔵部６２と、メダル貯蔵部に貯蔵されるメダルを筺体３前面１３４側に払い出すメダル払出部６３、１３等と、メダル払出部の上方側であって筺体３前面１３４側側面に設けられ、メダル収容可能なメダル収容器を着脱可能に落下させない状態で留めることが可能な収納留め部６８における１２０及び１２１、１２５及び１２６、１２９および１３１、１３１及び１３０の上縁端、と、収納留め部または／及びメダル収容器を、外力または自機に備える駆動力源からの駆動力により動作させることが可能な動作機構（６８の回転可能な機構、１３２を回転可能な機構、動作する１４０）と、を備え、動作機構により収納留め部または／及びメダル収容器を動作させることで、前記収納留め部に留められたメダル収納器６９、１３２内に収納されたメダルを受け入れることが可能であるので、多量のメダル一気に運ぶことができるメダル収容器をメダル払出部の上方側であって筺体前面側側面に収納留め部によって一旦留め、その後動作機構により収納留め部または／及びメダル収容器を動作させることで、メダルをメダル受入部に投入する際手間なく溢し難くすることができるとともにメダル払出部から再びメダルを払い出すのに揚送する必要がないと言う効果を奏する。
【０１３０】
また、図２５、図２６で示すメダル払出機１（Ａ案）において、さらに、図９に示す如く、メダル払出機１は、動作機構（６８の回転可能な機構）が、収納留め部６８における１２０及び１２１を回転軸に回転可能に軸支した回転手段であり、回転手段により収納留め部を回転動作させることで、収納留め部に留められたメダル収納器６９内に収納されたメダルを受け入れることが可能とした例を用いても同様に手間なく溢し難くすることができるとともにメダル払出部から再びメダルを払い出すのに揚送する必要がないと言う効果を奏する。
【０１３１】
また、図２５、図２６で示すメダル払出機１（Ａ案）において、さらに、図１７から図２０、図２１から図２３に示す如く、メダル払出機１は、動作機構（１３２を回転可能な機構）、によって、メダル収納器１３２の一端を持ち上げて回転させると、前記メダル収納器の他端側からメダル収納器内に収納されたメダルを受け入れることが可能とした例を用いても同様に手間なく溢し難くすることができるとともにメダル払出部から再びメダルを払い出すのに揚送する必要がないと言う効果を奏する。
【０１３２】
また、図２５、図２６で示すメダル払出機１（Ａ案）において、さらに、図２１から図２３に示す如く、メダル払出機１は、収納留め部１３１が、メダル収納器１３２の端部１３３を掛けて留めることが可能であり、動作機構が、メダル収納器を回転軸に回転可能に軸支した回転手段（１３３と１３１の回転可能な機構）であり、回転手段によりメダル収納器を回転軸（１３１の中心付近）を中心に回転させることで、メダル収納器１３２内に収納されたメダルを受け入れることが可能とした例を用いても同様に手間なく溢し難くすることができるとともにメダル払出部から再びメダルを払い出すのに揚送する必要がないと言う効果を奏する。
【０１３３】
また図２５、図２６で示すメダル払出機１（Ａ案）において、さらに、図２４に示す如く、メダル払出機１は、動作機構（１４０と１３７）が、メダル収納器１３２の一部に設けられたシャッタ機構１３６を開閉動作させることで、収納留め部（１３１と１３０の上縁端）に留められたメダル収納器内に収納されたメダルを受け入れることが可能とした例を用いても同様に手間なく溢し難くすることができるとともにメダル払出部から再びメダルを払い出すのに揚送する必要がないと言う効果を奏する。
【０１３４】
また、図２５、図２６で示すメダル払出機１（Ａ案）において、さらに、メダル払出機１は、メダル受入部に受け入れたメダルを計数する計数部（計数機構７０、近接センサＳ）と、計数部で計数したメダルメダル貯蔵部６２へ導くようにしてもよい。
【０１３５】
また、メダル払出機１は、収納留め部（６８、１２５と１２６、１２９）は、筺体３前面１３４において進退可能である。
【０１３６】
また本実施の形態では、計数機構７０、近接センサＳによって計数されたメダルを受け入れて貯蔵するメダル貯蔵部６２と、計数機構で計数したメダルをメダル貯蔵部６２へ導くメダル導入機構（６０、７０と７１、７４と７６と７７）と、メダル貯蔵部６２に貯蔵されるメダルを前記筺体３前面側に払い出すメダル払出部（払出用ノーズ６３、１３、７８）と、を備え、前記メダル貯蔵部６２に貯蔵するメダル数に応じて前記筺体外部へ排出する排出処理か前記筺体内部へ取り込む取込処理かを切り換えて処理する排出取込切換機構（５９と７３）を備えるので、計数用メダル及び補充用メダルを、同一のメダル受入部から同一のメダル導入機構を介して同一のメダル貯蔵部に、再度払い出し可能に最大限の貯蔵容量を確保して貯蔵できるようにするとともに、メダル払出機筺体のスペース最小化を図り使い勝手を良くでき、そして計数メダルをメダル貯蔵部に貯蔵する際発生するメダル貯蔵部へのオーバーフローに対応し、そしてメダル貯蔵部を払い出し可能なメダル量を維持することに対応し、メダル貯蔵部のメダル量（重さや数や所定容器に彫像されるメダル量に対応した所定位置におけるメダル有無を示す情報等）に応じて筺体外部へ排出する排出処理か前記筺体内部へ取り込む取込処理かを切り換えて処理できるという効果を奏する。
【０１３７】
また、排出取込切換機構（５９と７３、６７から７０と６３から１３、１７から６０と６３から１３）は、メダル貯蔵部６２に貯蔵されるメダル量が第１の所定量（重さや数や所定容器に彫像されるメダル量に対応した所定位置におけるメダル有無を示す情報等）を超えた場合に筺体外部へ排出することで、メダル貯蔵部に貯蔵されるメダル量がオーバーフロー（外部への排出困難な程の重量超過状態である）することを防止でき、メダル貯蔵部に貯蔵されるメダル量が第１の所定量（重さや数や所定容器に彫像されるメダル量に対応した所定位置におけるメダル有無を示す情報等）より小さい第４の所定量（重さや数や所定容器に彫像されるメダル量に対応した所定位置におけるメダル有無を示す情報等）を下回った場合に筺体内部に取り込むことで、メダル貯蔵部の貯蔵量不足に払い出されなくなることを防止できるという効果を奏する。
【０１３８】
また、メダル貯蔵部６２に貯蔵されるメダル量が所定量（第２の所定量）（重さや数や所定容器に彫像されるメダル量に対応した所定位置におけるメダル有無を示す情報等）を超えたか否かを判定するメダル量判定手段を更に備え、メダル量判定手段によってメダル量が第２の所定量（重さや数や所定容器に彫像されるメダル量に対応した所定位置におけるメダル有無を示す情報等）を超えたと判定した場合にメダル受入部から筺体内部へのメダルの受入を行わない（計数機構７０の停止、揚送機構６０、７４の停止、７７シャッタの閉塞、シャッタ８８の閉塞、また揚送機構６０、７４のメダル受入口に設けたシャッタの閉塞）ので、メダル貯蔵部に貯蔵されるメダル量がオーバーフロー（外部への排出困難な程の重量超過状態である）することを防止できるという効果を奏する。
【０１３９】
また、メダル貯蔵部６２に貯蔵されるメダル量及び遊技台に貯蔵されるメダル量の和が第３の所定量（重さや数や所定容器に彫像されるメダル量に対応した所定位置におけるメダル有無を示す情報等）を超えたか否かを判定する第２メダル量判定手段を更に備え、前記第２メダル量判定手段によってメダル量の和が前記第３の所定量（重さや数や所定容器に彫像されるメダル量に対応した所定位置におけるメダル有無を示す情報等）を超えたと判定した場合に前記メダル受入部から筺体内部へのメダルの受入を行わないので、メダル貯蔵部に貯蔵されるメダル量および遊技台に貯蔵されるメダル量の和がオーバーフロー（外部への排出困難な程の重量超過状態である）することを防止できるという効果を奏する。
【０１４０】
また、獲得メダルを計数する計数モードと、払い出し用のメダルを補充する補充モードとを切り換える切換手段（Ｓ２００）と、切換手段によって計数モードに設定される場合には計数機構によって計数された計数結果を遊技者に発行する記録媒体の記録情報に対応付けて記録する計数結果記録手段（Ｓ２０６、詳細はＳ１００の説明に記載）と、切換手段（Ｓ２００）によって補充モードに設定される場合には排出取込切換機構（５９と７３、６７から７０と６３から１３、１７から６０と６３から１３）によって取込処理（６７から７０、１７から６０）が実行可能であり、取込処理（６７から７０、１７から６０）によって受け入れた補充用メダルを受け入れるとともに、補充用メダルを計数しないかまたは計数してもその計数結果を景品交換可能な獲得遊技媒体数として処理しないようにする補充メダル非処理受入手段（Ｓ２０４）と、を備えるので、補充と計数とを混乱なく切り換えて実施することができるという効果を奏する。
【０１４１】
また、切換手段（Ｓ２００）は、さらにメダル貯蔵部６２に貯蔵されるメダルを外部に排出するための排出モードに切り換え可能であり、切換手段（Ｓ２００）によって排出モードに設定される場合には排出取込切換機構（５９と７３、６７から７０と６３から１３、１７から６０と６３から１３）によって排出処理（Ｓ２０５）が実行可能であり、排出処理によって外部にメダルを排出可能とする排出手段（５９、６３から１３）を備えるので、補充と計数に加えて、排出とを混乱なく切り換えて実施することができるという効果を奏する。
【０１４２】
また図１２、図２７、図２９、図３１、図３６に示す如く、メダル払出機１は、揚送機構７４と、揚送機構７４を形成するカバー体７４１を上下方向に切断する切断線３００とを備え、切断線３００で切断される左側カバー体が右側カバー体に対し鉛直方向を回転軸に回転可能とするため軸支する蝶番３０１、３０２とを有する。更に回転する左側カバー体の筺体３前面１３４側裏面側に設けられたピン３０３が筺体３前面１３４に設けられた挿入口３０４に挿入されるとピン３０３先端に設けられたフックがワンウェーラッチ（図示しない）と係合して左側カバー体が筺体前面に固定され、筺体前面１３４に備えるラッチ解除ボタン３０５を押すと当該ワンウェーラッチが解除されピン３０３を挿入口３０４から引き抜き可能となり、左側カバー体を開くことができるので、揚送の途中で生じた詰まりを容易に取り除けるようにできる。
【０１４３】
即ち本発明は、遊技台に隣接して設けられた筺体３と、投入された遊技媒体を受け入れる受入部１７と、受入部から受け入れた遊技媒体を筺体前面下方側から上昇させて導くリフト部７４と、リフト部７４によって上昇させた遊技媒体を、筺体３内部、または筺体３及び遊技台２が並んで設置された島内部、へ導く導入部（７６と７７、１７１等）と、を備える、遊技媒体を払い出す為の処理をする遊技媒体払出機で１あって、リフト部７４が、筺体３前面１３４外部側に沿って設けられ、上昇する遊技媒体の水平方向の周囲を覆う通路７４１と、通路７４１内を外部に露出可能に開くことが可能な開閉機構（切断線３００、蝶番３０１、３０２、ピン３０３、挿入口３０４、ラッチ解除ボタン３０５等）と、を備える遊技媒体払出機１である。
【０１４４】
また本発明は、遊技台に隣接して設けられた筺体３と、投入された遊技媒体を受け入れる受入部１７と、受入部１７から受け入れた遊技媒体を筺体前面下方側から上昇させて導くリフト部７４と、リフト部７４によって上昇させた遊技媒体を、筺体３前面１３４側の隣接する遊技台付き遊技媒体受入部または遊技台付き遊技媒体受入部近傍に導く導入部８１ｂ等と、を備える、遊技媒体を払い出す為の処理をする遊技媒体払出機１であって、リフト部７４が、筺体３前面１３４外部側に沿って設けられ、上昇する遊技媒体の水平方向の周囲を覆う通路７４１と、通路７４１内を外部に露出可能に開くことが可能な開閉機構（切断線３００、蝶番３０１、３０２、ピン３０３、挿入口３０４、ラッチ解除ボタン３０５等）と、を備える遊技媒体払出機１である。
【０１４５】
また本発明は、遊技台に隣接して設けられた筺体３と、投入された遊技媒体を受け入れる受入部１７と、受入部１７から受け入れた遊技媒体を筺体３前面１３４下方側から上昇させて導くリフト部７４と、リフト部７４によって上昇させた遊技媒体を筺体３内部または筺体３及び遊技台が並んで設置された島内部へ導くか（７６と７７、１７１等）、または、リフト部７４によって上昇させた遊技媒体を筺体３前面１３４側の隣接する遊技台３付き遊技媒体受入部または遊技台付き遊技媒体受入部近傍に導くか（８１ｂ）、を選択して導く選択導入部（７６、１７０）と、を備える、遊技媒体を払い出す為の処理をする遊技媒体払出機１であって、リフト部７４が、筺体３前面１３４外部側に沿って設けられ、上昇する遊技媒体の水平方向の周囲を覆う通路７４１と、通路７４１内を外部に露出可能に開くことが可能な開閉機構（切断線３００、蝶番３０１、３０２、ピン３０３、挿入口３０４、ラッチ解除ボタン３０５等）と、を備える遊技媒体払出機１である。
【０１４６】
また本発明は、さらに、リフト部７４の通路７４１全体が上昇するメダルを視認可能である遊技媒体払出機１である。
【０１４７】
また図１２における回転研磨部７５１及び研磨モータ７５２を拡大した斜視図を図３８に示す。また図７、図１３における回転研磨部７５１及び研磨モータ７５２を拡大した斜視図を図４０に示す。
【０１４８】
図３８に示すように、メダルを１枚毎に整列して排出する計数機構７０から排出されたメダルは、順次押し出されて各メダル外縁どうしが当接して押圧されながら研磨通路７５３内に侵入する。研磨通路７５３は１枚のメダルのみが通過可能な断面長方形状の通路に形成される。研磨通路７５３の下流側端部には、通過するメダルの表面上側と下側を磨く為の円柱形状の回転研磨部７５１が通過するメダル表裏面に対向するように配置され、回転研磨部７５１は研磨モータ７５２によって回動される。研磨通路７５３を通過するメダルが、メダルの進行方向に対し上側と下側に回転研磨部７５１の間に進入する際、回転研磨部７５１の回転力に起因して研磨通路７５３からの進路から脱落しないよう、研磨通路７５３の下流端の短手辺側がメダルの進行方向に長く形成された研磨通路突出部７５２を備え、研磨通路突出部７５２は、少なくとも回転研磨部７５１の回転の中心から両方のメダル外周縁迄の幅を若干超えたエリア付近まで長く形成される。
【０１４９】
回転研磨部７５１は、研磨部材７５１aと、研磨部材取付部７５１ｂからなり、研磨部材７５１aは研磨部材取付部７５１ｂに回転軸と垂直な方向からスライド嵌入されて留められる。研磨通路７５３を通過して回転研磨部７５１に接触する地点に至ったメダルが、メダルの進行方向に対し上側と下側に回転研磨部７５１の間に進入できるよう、図３９に示す如く、上側と下側の研磨部材７５１aの間の隙間が研磨部材７５１aの外周縁付近においてメダルの厚みより広く形成され、回転外縁部側から中央にかけて、徐々に小さくなるように形成され、中央付近においてわずかに隙間が形成される。研磨通路７５３を通過するメダルは、計数機構７０によって１枚毎に整列して外縁と外縁が接触しながら押し出され、研磨部材７５１aは不織布で円柱形状のスポンジを覆った弾力性のある材料で形成されるので、上側と下側の研磨部材７５１aの間の隙間がメダルの厚みより小さくても進行することができる。
【０１５０】
上下それぞれの研磨モータ７５２の上端及び下端側には研磨圧付加ばね７５４の一端が取り付けられ他端が筺体３に取り付けられたスリーブ７５７に取り付けられる。回転研磨部７５１は、研磨圧付加ばね７５４によってメダルの通過する中央に向けて付勢され、その付勢方向における上下の回転研磨部７５１の中央付近においてわずかに隙間が形成される地点で止まるよう研磨モータ７５２の外周部に突設した突片７５６がストッパ７５５に当接することによって移動を制限される。研磨モータ７５２の移動方向は、スリーブ７５７に導かれ、所定の方向とその反対の２方向に限定される。なお研磨モータ７５２は上側と下側の各回転研磨部７５１に対しそれぞれ１つを配したが、１の研磨モータとし、上下側の各回転研磨部への回転動力の提供は、ギヤと回転軸でつないで行うようにしてもよい。またなお回転研磨部７５１以外の研磨機構としては、例えば、ベルト摺動式：搬送メダルの片面乃至両面を一の方向に駆動する無端ベルト布に擦って研磨する方式や、ディスク型整列機構のメダル受入口のメダル表面両側に研磨部材を配置して研磨する方式（特許３４６５８２１）などが例示できる。
【０１５１】
また図４０において、研磨通路７５３に開口する開口部（図示しない）を介して揚送されるメダルの片面に回転研磨部７５１が回転しながら当接してメダル表面を研磨する。回転研磨部７５１の回転方向は、メダルの揚送方向と反対方向に摺動するよう研磨モータ７５２によって回転させる。研磨モータ７５２及び回転研磨部７５１は研磨圧ばね７５４によって研磨通路７５３の側へ付勢される。
【０１５２】
研磨部材７５１aとしては、中央に円柱形状のスポンジ等の弾力性部材を、不織布（織らない布。繊維を合成樹脂の他の接着剤で接合して布状にしたもの。弾力に富み、通気性にすぐれ、洋服の芯地などに用いる。）や綿製のカバーで覆ったもの等が適している。不織布及びスポンジ等で形成される研磨部材７５１aは、使い捨てであり、（図３８においては受入口６７を筺体前面側に引き出した際、）容易に着脱可能である。
【０１５３】
なお、払出機１の制御部はＣＰＵ、プログラムを記憶する半導体ハードディスク、一時的な演算結果を記憶するＲＡＭで構成され、上記の如くメダルを計数機構７０で計数する場合や、上記の如く揚送機構７４で揚送する場合に研磨モータ７５２を駆動するよう研磨モータ７５２のインターフェース回路を介して駆動指示信号を出力する。研磨モータ７５２は駆動指示信号を受けて回転駆動する。
【０１５４】
次に、上記の如く獲得メダルを一旦メダル払出機１内に戻すのではなく、図４１から図５２にかけて、受け入れたメダルを整列させた後、直接島内に返却する態様を説明する。図４１は、受入メダルをメダル払出機１の下方側を介して島内に移動させるメダル払出機とスロットマシンを客側からみた斜視図、図４２は受入メダルをメダル払出機１の側方側を介して島内に移動させるメダル払出機とスロットマシンを客側からみた斜視図、図４３は図４１の形態を島奥側からみた斜視図、図４４は図４１の形態のホッパー部付近を拡大した斜視図、図４５は図４４の機構に蓋４０９を加えた斜視図、図４６は、図４２の形態のホッパー部付近を拡大した斜視図、図４６ａ〜ｃは、図４６の各点における断面図、図４７、図４７ａは図４１の形態の図４３におけるＲ視したリフター４００の側面説明図、図４８は図４２の形態を島奥側からみた斜視図、図４９は図４８の振分案内手段を拡大した斜視図、図５０はメダルの島内返却においての届け先を選択して搬送制御するためのフローチャート、図５１、図５２は、目玉式ホッパーを用いてメダル払出機側面側を介して島内に搬送する機構の斜視図、である。
【０１５５】
図４１では、メダル受入部であるホッパー４０６（既述した下部に円形孔を穿った円盤状のディスクを備えた目玉式ホッパー）に投入されたメダルは、ここで整列させられ、メダル払出機１の下方に設置させた下方搬送路４０５を介して、メダル払出機１の筺体奥の外側まで１枚毎に移動させられ、振分案内手段としてのリフター４００によって、メダル払出機１内、スロットマシン２内、または島内メダル供給搬送路６６とメダルを搬送可能に連結されるどぶ４０４に振り分けて案内される。なお島内においては、メダルは、どぶ４０４から島内メダル供給搬送路６６に、メダル洗浄装置を経て搬送される。
【０１５６】
さらに図４３では、下方搬送路４０５から搬送されたメダルをリフター４００が揚送し、メダル払出機１または滑り台４０２を介して滑落させながらスロットマシン２へ振分案内手段４０１によって振り分けて案内される。
【０１５７】
図４４において、図４１の形態のメダル払出機１の筺体３前面１３４側に配置された目玉式ホッパー４０６を拡大して説明する。メダル受入部として機能する目玉式ホッパー４０６は、上部が開口して下方にかけて開口の水平断面積が減少する皿形状に形成される。そして、目玉式ホッパーの底部には、メダルを１個載置可能な孔を穿った金属性の円盤状ディスクを備え、ディスクの回転に伴って孔に入ったメダル１枚を、ディスク下方に穿ったメダル１個を導くための案内に導かれ、メダルはディスクの回転力によって下方搬送路４０５の内部に設けられた、断面が長方形状で横長縦短の通路４０８へ、１枚毎に１列になってそれぞれが押し合いながら押し出される。このようにメダル払出機下方にメダル通路を設けるようにすることで、メダル払出機内のメダル貯留量を減じることがない。なお、下方搬送路４０５の上面には灰皿４５が備えられている。
【０１５８】
図４５のメダル通路は、図４４のメダル通路に加え、目玉式ホッパー４０６と灰皿４５のそれぞれいずれか一方の上方を交互に覆うことが可能なカバー４０９を備え、カバー４０９は、目玉式ホッパー４０６の開口を覆い灰皿４５の上方が開口する位置と灰皿４５の上方を覆い目玉式ホッパー４０６の上方を開口する位置と、に図示した矢印の方向に下方搬送路４０５の上面４１０に沿ってスライド可能に構成される。このようにすることで、煙草を吸う時には、煙草の吸殻を灰皿４５に入れることができるとともに目玉式ホッパー４０６の中に煙草の吸殻が入るのを防止し、獲得メダルを計数する時は、計数可能にするとともに灰皿４５の中にメダルがおちてしまうことを防止することができる。なお、図８のメダルの受入口６７、受入口６７からのメダルを計数する計数部７０を設け、灰皿を例えば図４５等の如く、膳板（遊技台の下方側に遊技客側に突出した小物やメダルを入れる箱を置くことができるカウンター）に配置する場合にも、カバー４０９を灰皿を覆うことができるものと、受入口６７を覆うことができるものを別個に設け、一方が閉じれば、他方のが開くように連動させれば、煙草の吸殻を受入口６７を介して計数部７０に落としてしまうこともないので好ましい。
【０１５９】
またカバー４０９は、目玉式ホッパー４０６の上方を開口する場合（制御部１０３Ｐが図示しないスイッチの開口状態を検知した場合）に、ディスクを回転させるようにしてもよいし、メダル払出機１に設けられた計数ボタンを押した場合でもカバー４０９が閉じていれば（制御部１０３Ｐが図示しないスイッチの開口でない状態を検知した場合）ディスクを回転不許可とし、カバー４０９が開いていればディスクを回転許可するようにしてもよい。このようにすることで必要以上にディスクを回転させなくてもよいので省エネになる。
【０１６０】
同様に図４６の如く、カバー４１２（点線）を設けてもよく、カバー４１２をＶ字溝側４１１側に倒すと灰皿４５の上方が開口し、カバー４１２を灰皿４５側に倒すとＶ字溝４１１の上方が開口すると、上記と同様の効果を得られる。カバー４１２は、蝶番４１８によって回転自在に設けられている。（図４６ａ）
【０１６１】
次に、目玉式ホッパー４０６を使わないＶ字溝によってメダルを整列させる形態を説明する。
【０１６２】
図４２では、メダル受入部であるＶ字溝４１１を用いたホッパー４０７に投入されたメダルは、ここで整列させられ、メダル払出機１とスロットマシン２の間の隙間に設置された側方転動搬送路４０３を介して、メダル払出機１の筺体奥の外側まで１枚毎に移動させられ、振分案内手段としてのリフター４０８によって、メダル払出し機１内、スロットマシン２内、または島内メダル供給搬送路６６とメダルを搬送可能に連結されるどぶ４０４に振り分けて案内される。このように側方転動搬送路４０３をメダル払出機１の側面（メダル払出機１内を貫通させてもよい）に設けることでメダル払出機内のメダル貯留量を減じることもない。なお側方転動搬送路４０３は、ホッパー４０７側である上流側から島内であるメダル払出機１の奥側にかけて転動可能に傾斜するとともに、断面が縦方向に長く横方向に薄い途中通路を形成している。なお側方転動搬送路４０３は上流から下流にかけて転動可能に傾斜されることは必須要件ではなく、ベルト搬送を用いても、４０３を縦長横短に形成すれば、上記メダル払出機内のメダル貯留量を減じることがないという作用効果を得ることができる。
【０１６３】
図４６において、図４２の形態のメダル払出機１の筺体３前面１３４側に配置されたＶ字溝式ホッパー４１１を拡大して説明する。図４６においては、Ｖ字溝ホッパー４１１は、谷４１６がメダルの外周の厚み１枚から２枚の間の幅に形成され、土手４１５は、谷４１６に近づく程傾斜がきつく形成され、谷４１６は、遊技客側が高く、メダル払出機側が低く形成することでメダルが転動可能に形成されている。このように構成することで、底部が幅狭に形成されV字溝４１１にメダルを遊技客が手で放り込むと、V字溝の底部４１６はメダルの外周端が１枚厚分配置可能な幅であるので、V字の両辺の壁面４１５に沿ってメダルを略起立させ、１枚ずつ遊技客が手でV字溝の底部に達しないメダルをV字溝の底部にメダルの外周端が接するメダルとの重なった状態からV字溝に沿って移動させることで、容易に整列させることができる。整列機構をこのように構成することで、下記の如くの目玉式ホッパーユニットのように電気モータを必要としない為、安価にメダルを整列させることができる。（図４６ａ）またＶ字溝４１１下流には開口４１９が上方側が広く、下方側が狭く谷４１６に近づく程傾斜がきつくに形成され、開口４１９を介して通路４１３に転動可能に連通される。
【０１６４】
図４６ｂに示す如く、Ｋ１Ｋ１‘断面では、通路幅の上方側が広く、下方側が狭く形成され、開口４１９の開口面積を全て含む面積で開口断面４１４が形成される。このようにすることで転動流下するメダルが通路４１３に差し掛かった際に通路４１３に引っかかることなくスムーズに流下できる。そしてさらに下流側の通路４１３のＫ２Ｋ２’断面では、通路幅の上方側と下方側の差がなくなるよう、即ちメダルがほぼ垂直に起立転動可能にでき、よりスムーズな転動流下が可能となる。
【０１６５】
次に、図４１、図４３の目玉式ホッパーにより整列させる場合についての振分案内手段であるリフター４００を説明する。下方搬送路４０５を介して搬送されたメダルは、一方が制御部１０３Ｐによって制御されるモータ（図示しない）により駆動される上部ローラ４２２と下部フリーローラ４２２に掛け渡された無端ベルト４２５に設けられた突起４２１に載置されて上下両方に搬送可能に構成される。突起４２１は、無端ベルト全周に渡って等間隔に設けられた立法体であり、リフター４００を覆う筺体４２４に駆動可能な遊びが設けられている。またメダルを突起４２１に乗せて搬送するには突起４２１が傾いてしまうとメダルが突起４２１と筺体４２４の間に挟まってしまいつまりが生じるので、傾かないよう無端ベルト４２５を平行に支持する支持板４９９が設けられている。
【０１６６】
突起４２１に載置されたメダルを、メダル払出機１内またはスロットマシン２内に補充する場合には、制御部１０３Ｐは、モータ駆動ＩＦを介して上方に搬送する（図４７では左回転）よう指示し、メダルが上方に搬送される。次いで、無端ベルト４２５の軌道を安定させるためのフリーローラ４２８を起点に、突起４２１の無端ベルトと反対側の端部が筺体４２４に設けられた突出部４２６に差し掛かると、無端ベルト４２５側の突起４２１の下端部４２９が押し出され、その結果突起４２１上に載置されたメダルは突起４２１の傾斜に沿って滑り台４０２へ滑落する。滑り台４０２上には振分板４２４（振分案内手段）が回動可能に設けられ、制御部１０３ＰからのソレノイドＩＦを介しての指示に基づき、メダルをメダル払出機１内またはスロットマシン２内に導く。図４７ａでは、振分板４２４が傾いた状態でメダル払出機１側へ、振分板４２４が垂直に立った状態でスロットマシン２側へ導かれる。また制御部１０３Ｐは、モータ駆動ＩＦを介して下方に搬送する（図４７では右回転）よう指示すると、メダルは下方のどぶ４０４に振分案内される（振分案内手段）
【０１６７】
次に、図４２、図４６のＶ字溝式ホッパーによって起立転動可能に整列させる場合、図５１、図５２のように目玉式ホッパーと捩れ通路４３０によって起立転動可能に整列させる場合の振分案内手段について説明する。なおここで用いられる揚送機構７４は、既述のものである。側方転動搬送路４０３から転動して流下したメダルはリフター４０８（７４のこと）に差し掛かると、制御部１０３ＰからのモータＩＦを介した指示に基づき上下両方に搬送される。メダルは、下方に搬送される場合どぶ４０４に移動させられ、上方に搬送される場合、メダル払出機１内またはスロットマシン２内に補充される。既述の通り、メダル払出機１に補充する場合開口７７から、スロットマシン２に補充する場合開口７９から排出される。
【０１６８】
次に、図５１、図５２に従い、目玉式ホッパーと捩れ通路４３０によって起立転動可能に整列させる場合を説明する。図５１ではディスク４２７が回転可能に水平に載置され、図５２ではディスク４２７が回転可能にメダル払出機に向かって左右どちらかに向かって斜めに載置されている。既述の通り捩れ通路４３０に押し出されたメダルは通路のねじれに沿って起立状態に一列に並んで整列する。図５２の方が、斜めにディスクが配置されているので、起立状態とするまでの捩れ通路４３０の長さを短くできるという利点がある。
【０１６９】
次に、図５０のフローチャートに従って、制御部１０３Ｐの動作を説明する。なおこのフローは、図１６のＳ２０２とＳ２０６の間に実行されるようにするとよい。計数ボタン８がおされないことをボタンＩＦを介して制御部１０３Ｐが検知するとリターンしてＳ２０６に移行する。計数ボタン８が押されたことをボタンＩＦを介して制御部１０３Ｐが検知すると、ステップＳ３０２に移行する（ステップＳ３０１）。次に、管理装置の制御部から通信ＩＦを介して全台の平均メダル貯留数、自台メダル貯留数を制御部１０３Ｐが受信すると、両者を比較し、全台平均メダル数が多い場合ステップＳ３０３へ移行し、以下の場合ステップＳ３０５へ移行する（ステップＳ３０２）。ステップｓ３０５においては、制御部１０３ＰがモータＩＦを介して指示し、モータを逆転させてメダル搬送装置４０４（どぶ４０４）へメダルを戻し、ステップＳ２０６へ移行する。なお、何個のメダルをどぶ４０４に戻したかをセンサＩＦを介して計数し、管理装置へ送信する。
【０１７０】
ステップＳ３０３においては、メダル払出機１のメダルの収容数と遊技機１のメダルの収容数を比較し、メダル払出機１側のメダル収容数が多いと判断した場合、ステップＳ３０４移行し、制御部１０３ＰはモータＩＦを介してモータを正転させ振分棒４０１（リフター４０８（７４））に指示して遊技機内に補充する。メダル払出機１側のメダル収容数が少ないと判断した場合、ステップＳ３０６に移行し、制御部１０３ＰはモータＩＦを介してモータを正転させ振分棒４０１（リフター４０８（７４））に指示してメダル払出機１に補充する。遊技機とメダル払出機にそれぞれ補充した数量は制御部１０３ＰがセンサＩＦを介して計数し、管理装置へ送信する。また島内メダル供給搬送路６６は独自に制御され、各メダル払出機１、各遊技機２への補充メダル数を管理装置へ送信し、管理装置は各遊技機、各メダル払出機に収容されるメダル数を個別に記憶管理し、適宜要求に応じて出力する。
【０１７１】
なお、図４１のホッパ４０６の下流側、図４２のホッパ４０７の下流側にはそれぞれ図示しない計数センサを設け、制御部１０３ＰがセンサＩＦを介して計数センサからの信号に基づき計数するメダル計数機としても利用できる。
【０１７２】
また、図４１、図４２のメダル通路（４０６、４０５乃至４０３）は、それぞれメダル払出機１の側方側設置工事乃至メダル払出機１の筺体３内の貫通工事、下方側設置工事を行って既存のメダル払出機１に取り付けることができる。
【図面の簡単な説明】
【０１７３】
【図１】第１の形態のメダル払出機を遊技機に隣接させて配置した斜視図である。
【図２】スロットマシン２及び第１の形態のメダル払出機１の背面側からみた斜視図である。
【図３】スロットマシン２及び第１の形態のメダル払出機１を底面側から見た図である。
【図４】スロットマシン２及び第１の形態のメダル払出機１の前面下部側を拡大した斜視図である。
【図５】灰皿４５の斜視図である。
【図６】図４における、断面Ｑ、断面ＳにおけるＡＡ’方向から見た図である。
【図７】第１の形態のメダル払出機１を側面方向から見た内部断面説明図である。
【図８】第２の形態のメダル払出機１の前面側斜視図である。
【図９】第３の形態のメダル払出機１の前面側斜視図である。
【図１０】第２の形態のメダル払出機１を側面方向から見た内部断面説明図である。
【図１１】スロットマシン２及び第４の形態のメダル払出機１の背面側からみた斜視図である。
【図１２】第４の形態及びＤ案のメダル払出機１における揚送機構７４の拡大した斜視図である。
【図１３】図１２における断面ＴのＷＷ’視である。
【図１４】メダル払出機１を採用した管理システム図である。
【図１５】管理装置１００についてのフローチャートである。
【図１６】メダル払出機１についてのフローチャートである。
【図１７】第５の形態のメダル払出機１の前面側斜視図である。
【図１８】第５の形態のメダル払出機１にメダル収容器を配置した前面側斜視図である。
【図１９】第５の形態のメダル払出機１にメダル収容器を配置した後回転させた前面側斜視図である。
【図２０】第５の形態のメダル払出機１における収納留め部を退去させた前面側斜視図である。
【図２１】第６の形態のメダル払出機１における側面説明図である。
【図２２】第６の形態のメダル払出機１におけるメダル収容器を配置した側面説明図である。
【図２３】第６の形態のメダル払出機１におけるメダル収容器を配置した後回転させた側面説明図である。
【図２４】第７の形態のメダル払出機１におけるメダル収容器を配置した側面説明図である。
【図２５】第８の形態及びＡ案のメダル払出機１を側面方向から見た内部断面説明図である。
【図２６】第８の形態及びＡ案のメダル払出機１におけるメダル導き選択手段の一部を拡大した内部断面説明図である。
【図２７】第９の形態及びＢ案のメダル払出機１における揚送機構７４の拡大した斜視図である。
【図２８】第９の形態及びＢ案のメダル払出機１における揚送機構７４の筺体前面下部側に設けられた湾曲部１５の下端部の下方視（ＴＯＰ  ＶＩＥＷ）説明図である。
【図２９】第１０の形態及びＣ案のメダル払出機１における揚送機構７４の拡大した斜視図である。
【図３０】図２９における断面ＴのＷＱＷＱ’視である。
【図３１】揚送機構７４の他の例を拡大した斜視図である。
【図３２】図３１におけるパイプ体２００の水平断面ＭＭ’である。
【図３３】積層が確実でない場合のパイプ体の水平断面説明図である。
【図３４】図３１におけるパイプ体２００の水平断面ＭＭ’であり、積層確実であることの説明図である。
【図３５】図３６における断面ＴのＷＱＷＱ’視である。
【図３６】揚送機構７４の他の例を拡大した斜視図である。
【図３７】図３５における断面ＬＬ’である。
【図３８】メダル研磨部を拡大した斜視図である。
【図３９】図３８におけるメダル研磨部を側方から見た拡大図である。
【図４０】図７、図１３における回転研磨部７５１及び研磨モータ７５２を拡大した斜視図である。
【図４１】受入メダルをメダル払出機１の下方側を介して島内に移動させるメダル払出機とスロットマシンを客側からみた斜視図である。
【図４２】受入メダルをメダル払出機１の側方側を介して島内に移動させるメダル払出機とスロットマシンを客側からみた斜視図である。
【図４３】図４１の形態を島奥側からみた斜視図である。
【図４４】図４１の形態のホッパー部付近を拡大した斜視図である。
【図４５】図４４の機構に蓋４０９を加えた斜視図である。
【図４６】図４２の形態のホッパー部付近を拡大した斜視図である。
【図４６ａ】図４６の各点における断面図である。
【図４６ｂ】図４６の各点における断面図である。
【図４６ｃ】図４６の各点における断面図である。
【図４７】図４１の形態の図４３におけるＲ視したリフター４００の側面説明図である。
【図４７ａ】図４１の形態の図４３におけるＲ視したリフター４００の側面説明図である。
【図４８】図４２の形態を島奥側からみた斜視図である。
【図４９】図４８の振分案内手段を拡大した斜視図である。
【図５０】メダルの島内返却においての届け先を選択して搬送制御するためのフローチャートである。
【図５１】目玉式ホッパーを用いてメダル払出機側面側を介して島内に搬送する機構の斜視図である。
【図５２】目玉式ホッパーを用いてメダル払出機側面側を介して島内に搬送する機構の斜視図である。
【符号の説明】
【０１７４】
１・・・メダル払出機、２・・・スロットマシン、３・・・筺体、４・・・紙幣投入口、５・・・液晶表示部、６・・・カード受入発行口、７・・・再プレーボタン、８・・・計数ボタン、９・・・貸出ボタン、１０・・・補充扉、１３・・・ノズル、１４・・・長さ著精通路、１５・・・湾曲路９９、１７・・・受入口、１８・・・払出口、２６・・・滑り台、２７・・・外部滑り台、３４・・・満杯搬送路、３５・・・搬送駆動ローラ、３６・・・排出口、３８・・・揚送ベルト、３９・・・揚送機カバー、４０・・・揚送機、４１・・・底部滑り台、４２・・・スロットマシン底部開口部、４９・・・嵌合突起、５２・・・シャッタ、５３・・・フック、５４・・・溝、５５・・・谷底、５６・・・曲面、５８・・・補充樋、５９・・・排出樋、６０・・・揚送機構、６１・・・揚送機構カバー、６２・・・メダルタンク、６６・・・島内メダル供給搬送路、６７・・・受入口、７０・・・計数機構、７３・・・背面導入樋、７４・・・揚送機構、７４１・・・カバー体、８１ｂ・・・ネット、８１ｃ・・・メダル停止部、８８、８９・・・シャッタ、９０・・・底部排出樋、９１・・・下部排出口９１、９９・・・カード返却ボタン、近接センサ・・・Ｓ、１００・・・管理装置、１０１・・・ネットワーク、１０２・・・島コントローラ、１０４・・・メダル供給装置、１０５・・・搬送通路、１２２・・・受入口（半ドーム孔）、１２３・・・ガイド、１２４・・・メダル受入孔（ディスク型整列機構）、１２５・・・根元側の設置台（収納留め部）、１２６・・・先端側設置台（収納留め部）、１２７・・・谷部、１２９・・・支持台（収納留め部）、１３０・・・受入口（上縁端が収納留め部として機能）、１３１・・・フック（収納留め部）、１３２・・・メダル箱（メダル収容器の１例）、１３４・・・筺体３の前面パネル、１３６・・・シャッタ、１３６、１３８・・・シャッタ開閉駆動部、１５０・・・シャッタ、１６１・・・筺体内部投入口、１７０・・・シャッタ、１７１・・・第１通路、１７２・・・筺体内部への開口、２００・・・パイプ体、２０２・・・昇降台、２０３・・・第１の開口、２０４・・・第２の開口、２０５・・・ステップモータ、２０８、２１０・・・ギヤ、２１５、２２３・・・可撓性部材、２２０・・・パイプ体、３００・・・切断線、３０１、３０２・・・蝶番、３０３・・・ピン、３０４・・・挿入口、４００、４０８・・・リフター（振分案内手段）、４０１・・・振分案内手段、４０２・・・滑り台、４０３・・・側方転動搬送路、４０４・・・どぶ、４０５・・・下方搬送路、４０６・・・目玉式ホッパー、４０７・・・Ｖ字溝式ホッパー、４０９、４１２・・・カバー、４１１・・・Ｖ字溝、４２７・・・ディスク、４３０・・・捩れ通路、７５１・・・回転研磨部、７５１a・・・研磨部材、７５１ｂ・・・研磨部材取付部、７５２・・・研磨モータ、７５３・・・研磨通路、７５３a・・・研磨通路突出部、７５４・・・研磨圧付加ばね
【図４１】
2010227317.tif 000003
【図４２】
2010227317.tif 000004
【図４３】
2010227317.tif 000005
【図４４】
2010227317.tif 000006
【図４５】
2010227317.tif 000007
【図４６】
2010227317.tif 000008
【図４６ａ】
2010227317.tif 000009
【図４６ｂ】
2010227317.tif 000010
【図４６ｃ】
2010227317.tif 000011
【図４７】
2010227317.tif 000012
【図４７ａ】
2010227317.tif 000013
【図４８】
2010227317.tif 000014
【図４９】
2010227317.tif 000015
【図５０】
2010227317.tif 000016
【図５１】
2010227317.tif 000017
【図５２】
2010227317.tif 000018
【図１】
2010227317.tif 000019
【図２】
2010227317.tif 000020
【図３】
2010227317.tif 000021
【図４】
2010227317.tif 000022
【図５】
2010227317.tif 000023
【図６】
2010227317.tif 000024
【図７】
2010227317.tif 000025
【図８】
2010227317.tif 000026
【図９】
2010227317.tif 000027
【図１０】
2010227317.tif 000028
【図１１】
2010227317.tif 000029
【図１２】
2010227317.tif 000030
【図１３】
2010227317.tif 000031
【図１４】
2010227317.tif 000032
【図１５】
2010227317.tif 000033
【図１６】
2010227317.tif 000034
【図１７】
2010227317.tif 000035
【図１８】
2010227317.tif 000036
【図１９】
2010227317.tif 000037
【図２０】
2010227317.tif 000038
【図２１】
2010227317.tif 000039
【図２２】
2010227317.tif 000040
【図２３】
2010227317.tif 000041
【図２４】
2010227317.tif 000042
【図２５】
2010227317.tif 000043
【図２６】
2010227317.tif 000044
【図２７】
2010227317.tif 000045
【図２８】
2010227317.tif 000046
【図２９】
2010227317.tif 000047
【図３０】
2010227317.tif 000048
【図３１】
2010227317.tif 000049
【図３２】
2010227317.tif 000050
【図３３】
2010227317.tif 000051
【図３４】
2010227317.tif 000052
【図３５】
2010227317.tif 000053
【図３６】
2010227317.tif 000054
【図３７】
2010227317.tif 000055
【図３８】
2010227317.tif 000056
【図３９】
2010227317.tif 000057
【図４０】
2010227317.tif 000058